(57)【要約】【課題】優良ユーザに集中的にスポンサー提供情報を送信する。【解決手段】情報管理装置１００ａの情報管理部１６０ａは、条件適合者抽出手段１６２とユーザページ作成手段１６４とポイント付与手段１６６とを有する。条件適合者抽出手段は、登録ユーザの中から条件適合者を抽出し、条件適合者をポイント付与予定者としてスポンサー提供情報に関連付けてスポンサー情報登録部１２０に登録する。ユーザページ作成手段は、個々の登録ユーザ毎にユーザページを作成し、さらに、条件適合者に送信可能なスポンサー提供情報のタイトル情報を条件適合者のユーザページに掲載する。ポイント付与手段は、閲覧ユーザが存在する場合に、閲覧ユーザがポイント付与予定者であると判定されたときに、所定のポイントを閲覧ユーザに付与する。【選択図】図１
2007026107.tif 000002
【特許請求の範囲】
【請求項１】
情報の送り手となるスポンサーに関する情報を登録するスポンサー情報登録手段と、情報の受け手となるユーザに関する情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置において、
前記情報管理手段は、
前記ユーザ情報登録手段に登録された登録ユーザの中からスポンサーによって指定された条件に適合するユーザを条件適合者として抽出し、当該条件適合者をポイント付与予定者として前記スポンサー提供情報に関連付けて前記スポンサー情報登録手段に登録する条件適合者抽出手段と、
前記ユーザ情報登録手段に登録された個々の登録ユーザ毎に前記ユーザ装置によって表示されるページを作成して、作成した当該ページをユーザページとして前記ユーザ情報登録手段に登録し、さらに、前記条件適合者抽出手段によって抽出された前記条件適合者に送信可能な前記スポンサー提供情報のタイトル情報を前記条件適合者の前記ユーザページに掲載するユーザページ作成手段と、
前記ユーザページ作成手段によって前記条件適合者の前記ユーザページに掲載された前記スポンサー提供情報のタイトル情報に基づいて、前記スポンサー提供情報を閲覧した閲覧ユーザが存在する場合に、当該閲覧ユーザと前記スポンサー情報登録手段に登録された前記ポイント付与予定者とを比較することによって、当該閲覧ユーザが前記ポイント付与予定者か否かを判定し、当該閲覧ユーザが前記ポイント付与予定者であると判定されたときに、予め定められたポイントを当該閲覧ユーザに付与するポイント付与手段とを有する
ことを特徴とする情報管理装置。
【請求項２】
請求項１に記載の情報管理装置において、
前記条件適合者抽出手段は、前記条件適合者をボーナスポイント付与予定者として前記スポンサー提供情報に関連付けて前記スポンサー情報登録手段に登録し、
前記ポイント付与手段は、前記閲覧ユーザが前記ボーナスポイント付与予定者か否かを判定し、当該閲覧ユーザが前記ボーナスポイント付与予定者であると判定されたときに、ボーナスポイントを含む、予め定められたポイントを当該閲覧ユーザに付与する
ことを特徴とする情報管理装置。
【請求項３】
請求項１または２に記載の情報管理装置において、
前記スポンサー情報登録手段は、項目毎に付与するポイントの重み付けが設定されたポイントテーブルを予め格納しており、
前記ユーザページ作成手段は、前記条件適合者抽出手段によって抽出された前記条件適合者に送信可能な前記スポンサー提供情報のタイトル情報を前記条件適合者の前記ユーザページに掲載する場合に、前記ユーザ情報登録手段から前記条件適合者のユーザ情報を読み出すとともに、前記スポンサー情報登録手段から前記ポイントテーブルを読み出し、前記条件適合者のユーザ情報の中から付与条件に一致する項目を抽出して、抽出された当該項目に応じて前記ポイントテーブルに設定されたポイントの積算値を算出し、当該ポイントの積算値をボーナスポイントとして、ユーザＮｏと対応付けて、前記スポンサー情報登録手段に登録する
ことを特徴とする情報管理装置。
【請求項４】
請求項２に記載の情報管理装置において、
前記条件適合者抽出手段は、前記条件適合者をボーナスポイント付与予定者として前記スポンサー提供情報に関連付けて前記スポンサー情報登録手段に登録するとともに、前記スポンサー提供情報に添付して前記条件適合者の前記ユーザ装置に送信するファイルを、前記スポンサー提供情報に関連付けて、前記スポンサー情報登録部に登録し、
前記ポイント付与手段は、前記ファイルを閲覧した閲覧ユーザが存在する場合に、当該閲覧ユーザが前記ボーナスポイント付与予定者か否かを判定し、当該閲覧ユーザが前記ボーナスポイント付与予定者であると判定されたときに、ボーナスポイントを当該閲覧ユーザに付与する
ことを特徴とする情報管理装置。
【請求項５】
請求項１に記載の情報管理装置において、
前記スポンサー提供情報は、閲覧確認情報用の複数のキーワードを含み、
前記ポイント付与手段は、前記閲覧ユーザのユーザ装置から前記スポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する
ことを特徴とする情報管理装置。
【請求項６】
情報の送り手となるスポンサーに関する情報を登録するスポンサー情報登録手段と、情報の受け手となるユーザに関する情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置を用いて、スポンサー提供情報の送信を管理する情報管理方法において、
前記情報管理手段は、条件適合者抽出手段とユーザページ作成手段とポイント付与手段とを有しており、
前記条件適合者抽出手段が、前記ユーザ情報登録手段に登録された登録ユーザの中からスポンサーによって指定された条件に適合するユーザを条件適合者として抽出し、当該条件適合者をポイント付与予定者として前記スポンサー提供情報に関連付けて前記スポンサー情報登録手段に登録する条件適合者抽出工程と、
前記ユーザページ作成手段が、前記ユーザ情報登録手段に登録された個々の登録ユーザ毎に前記ユーザ装置によって表示されるページを作成して、作成した当該ページをユーザページとして前記ユーザ情報登録手段に登録し、さらに、前記条件適合者抽出工程によって抽出された前記条件適合者に送信可能な前記スポンサー提供情報のタイトル情報を前記条件適合者の前記ユーザページに掲載するユーザページ作成工程と、
前記ポイント付与手段が、前記ユーザページ作成工程によって前記条件適合者の前記ユーザページに掲載された前記スポンサー提供情報のタイトル情報に基づいて、前記スポンサー提供情報を閲覧した閲覧ユーザが存在する場合に、当該閲覧ユーザと前記スポンサー情報登録手段に登録された前記ポイント付与予定者とを比較することによって、当該閲覧ユーザが前記ポイント付与予定者か否かを判定し、当該閲覧ユーザが前記ポイント付与予定者であると判定されたときに、予め定められたポイントを当該閲覧ユーザに付与するポイント付与工程とを有する
ことを特徴とする情報管理方法。
【請求項７】
請求項６に記載の情報管理方法において、
前記条件適合者抽出工程では、前記条件適合者抽出手段は、前記条件適合者をボーナスポイント付与予定者として前記スポンサー提供情報に関連付けて前記スポンサー情報登録手段に登録し、
前記ポイント付与工程では、前記ポイント付与手段は、前記閲覧ユーザが前記ボーナスポイント付与予定者か否かを判定し、当該閲覧ユーザが前記ボーナスポイント付与予定者であると判定されたときに、ボーナスポイントを含む、予め定められたポイントを当該閲覧ユーザに付与する
ことを特徴とする情報管理方法。
【請求項８】
請求項６または７に記載の情報管理方法において、
前記スポンサー情報登録手段は、項目毎に付与するポイントの重み付けが設定されたポイントテーブルを予め格納しており、
前記ユーザページ作成工程では、前記ユーザページ作成手段は、前記条件適合者抽出手段によって抽出された前記条件適合者に送信可能な前記スポンサー提供情報のタイトル情報を前記条件適合者の前記ユーザページに掲載する場合に、前記ユーザ情報登録手段から前記条件適合者のユーザ情報を読み出すとともに、前記スポンサー情報登録手段から前記ポイントテーブルを読み出し、前記条件適合者のユーザ情報の中から付与条件に一致する項目を抽出して、抽出された当該項目に応じて前記ポイントテーブルに設定されたポイントの積算値を算出し、当該ポイントの積算値をボーナスポイントとして、ユーザＮｏと対応付けて、前記スポンサー情報登録手段に登録する
ことを特徴とする情報管理方法。
【請求項９】
請求項７に記載の情報管理方法において、
前記条件適合者抽出工程では、前記条件適合者抽出手段は、前記条件適合者をボーナスポイント付与予定者として前記スポンサー提供情報に関連付けて前記スポンサー情報登録手段に登録するとともに、前記スポンサー提供情報に添付して前記条件適合者の前記ユーザ装置に送信するファイルを、前記スポンサー提供情報に関連付けて、前記スポンサー情報登録部に登録し、
前記ポイント付与工程では、前記ポイント付与手段は、前記ファイルを閲覧した閲覧ユーザが存在する場合に、当該閲覧ユーザが前記ボーナスポイント付与予定者か否かを判定し、当該閲覧ユーザが前記ボーナスポイント付与予定者であると判定されたときに、ボーナスポイントを当該閲覧ユーザに付与する
ことを特徴とする情報管理方法。
【請求項１０】
請求項６に記載の情報管理方法において、
前記スポンサー提供情報は、閲覧確認情報用の複数のキーワードを含み、
前記ポイント付与工程では、前記ポイント付与手段は、前記閲覧ユーザのユーザ装置から前記スポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する
ことを特徴とする情報管理方法。
【請求項１１】
コンピュータにより、請求項１〜５のいずれか１項に記載の情報管理装置を実現するためのプログラム。
【発明の詳細な説明】
【技術分野】
【０００１】
この発明は、情報の送り手となるスポンサーから情報の受け手となるユーザに提供される情報の送信を管理する情報管理装置、情報管理方法、および当該情報管理装置を実現するためのプログラムに関する。
【背景技術】
【０００２】
様々な商品やサービスの提供者（以下、スポンサーと称する）は、テレビで広告を流すことによって、当該商品やサービスに関する情報を不特定多数のユーザに提供していた。
【０００３】
その一方で、スポンサーは、ネットワークを介して、各ユーザの携帯電話やパーソナルコンピュータなどの電子機器（以下、ユーザ装置と称する）に広告を送信するようにもなってきた（特許文献１参照）。
【０００４】
例えば、特許文献１では、スポンサーは、以下のようにして、ユーザ装置に広告を送信している。すなわち、スポンサーは、ユーザ装置に広告を送信する場合に、広告をサービス提供サーバ装置と称される情報管理装置に登録する。これにより、サービス提供サーバ装置は、広告のリストを、利用者端末と称されるユーザ装置に送信する。利用者端末は、サービス提供サーバ装置から広告のリストを受信すると、当該リストを表示手段に表示する。これにより、ユーザは、広告のリストを閲覧することができる。ユーザは、広告のリストを閲覧すると、利用者端末の入力手段を操作し、当該リストの中から所望の広告を指定する。すると、利用者端末は、当該広告を指定する情報をサービス提供サーバ装置に送信する。サービス提供サーバ装置は、利用者端末から広告を指定する情報を受信すると、指定された広告を利用者端末に送信する。利用者端末は、サービス提供サーバ装置から広告を受信すると、当該広告を表示手段に表示する。これにより、ユーザは、所望の広告を閲覧することができる。
【０００５】
ところで、特許文献１では、サービス提供サーバ装置は、広告を利用者端末に送信するときに、ポイント（以下、特許文献１のポイントと称する）をユーザに付与している。この特許文献１のポイントは、広告主であるスポンサーまたはサーバの管理者によって提示される報酬と交換することができる。この報酬は、懸賞の応募や、電話料金の値下げ、ユーザがスポンサー提供の有料サービスを利用した場合の利用料の割り引きなどである。
【０００６】
しかしながら、特許文献１のポイントは、現金と異なり、用途が広告主であるスポンサーまたはサーバの管理者によって提示される報酬との交換に限定されている。そのため、特許文献１のポイントは、現金のような利便性がなかった。また、特許文献１のポイントは、懸賞の応募以外の報酬に交換する場合に、ユーザが利用した有料サービスの利用料よりも低い価値の報酬としか交換できなかった。
【０００７】
したがって、特許文献１には、現金のような利便性を持つポイント（すなわち、用途が限定されていないポイント）をユーザに付与するという思想や、ユーザが利用した有料サービスの利用料よりも高い価値のポイントをユーザに付与することを可能にするという思想がなかった。
【０００８】
そこで、この出願の発明者は、ポイントの利便性の向上を図る発明をなし、その発明につき本出願人は、２００４年１０月２９日に、特願２００４−３１５２９２号として出願し、さらに、２００５年７月１４日に、その特願２００４−３１５２９２号に基づいて、特願２００５−２０６２０９号として優先権主張出願した。
【０００９】
特願２００５−２０６２０９号として出願した発明（以下、先願発明と称する）は、代行業者によって使用される情報管理装置に関するものであり、ポイントに現金と同等の価値を持たせるために、ポイントの価値を裏付ける原資を確保し、その原資の一部を、スポンサー提供情報を閲覧したユーザ（以下、閲覧ユーザと称する）に分配する。具体的には、先願発明の情報管理装置は、スポンサーから代行業者に支払われるスポンサー費用を原資とし、スポンサー費用の一部を閲覧ユーザに分配する。これにより、先願発明の情報管理装置は、現金と同等の価値を持つポイントを閲覧ユーザに付与することができる。なお、代行業者とは、スポンサーに代わって、スポンサー提供情報をユーザに送信する業者を意味する。また、スポンサー提供情報とは、スポンサーがユーザに提供する、広告やアンケートなどのサービス情報を意味する。
【００１０】
以下に、図１１〜図１７を参照して、先願発明の情報管理装置の概要を説明する。
【００１１】
図１１は、情報管理装置の接続形態を示す図である。
【００１２】
図１１（Ａ）に示すように、情報管理装置１００は、通信網４００を介して、複数のスポンサー装置２００および複数のユーザ装置３００と接続する。または、図１１（Ｂ）に示すように、情報管理装置１００は、情報管理部１６０がスポンサー装置２００と同様の処理を代行する機能を有する場合に、通信網４００を介して、複数のユーザ装置３００とのみ接続する。
【００１３】
なお、情報管理装置１００とは、スポンサーからユーザに提供されるスポンサー提供情報の送信を管理する装置を意味する。情報管理装置１００は、例えば、サーバや、パーソナルコンピュータ（以下、ＰＣと称する）などの電子機器である。情報管理装置１００は、主に、代行業者によって使用される。なお、代行業者は、情報管理装置１００を用いて代行業務を運営する運営会社（運営会社の従業員を含む）であるとともに、情報管理装置１００の管理者でもある。以下、代行業者を、運営会社または管理者と称する場合もある。なお、メールの送受信においては、従来と同様、情報管理装置１００とスポンサー装置２００とユーザ装置３００との間には、図示しない複数のプロバイダーが介在している。
【００１４】
また、スポンサー装置２００とは、情報の送り手となるスポンサーによって使用される装置を意味する。スポンサー装置２００は、例えば、サーバや、ＰＣ、双方向テレビの放送装置（以下、双方向ＴＶ放送装置と称する）、その他の電子機器である。
【００１５】
また、ユーザ装置３００とは、情報の受け手となるユーザによって使用される装置を意味する。ユーザ装置３００は、例えば、携帯電話や、ＰＣ、双方向テレビの受像機（以下、双方向ＴＶと称する）、その他の電子機器である。
【００１６】
図１２は、先願発明の情報管理装置の構成を示す図である。
【００１７】
図１２に示すように、情報管理装置１００は、種々の情報を記憶する記憶部１０５と、スポンサー装置２００やユーザ装置３００などの外部の機器と通信するための通信部１１０と、ユーザに分配する費用（以下、分配費用と称する）を算出する分配費用算出部１４０と、ユーザへの分配費用の支払い処理を行う支払い処理部１５０と、スポンサー提供情報の送信の管理や各種の処理を行う情報管理部１６０と、コンピュータ全体の制御（例えば、プログラムの命令の解読やコンピュータの動作に必要な各種のデータの処理、タイミング制御など）を行う制御部１７０と、管理者が指令を与えたり或いは必要な情報を入力する各種の装置（例えば、キーボードやマウス、スキャナ、各種記憶媒体の読取／書込装置、その他）によって構成される入力部１８０と、情報を出力する各種の装置（例えば、ディスプレイやプリンタ、その他）によって構成される出力部１９０とを有している。なお、記憶部１０５は、種々の情報を読み出し自在に書き込むＲＡＭ、および、読み出し専用のＲＯＭによって構成される。この記憶部１０５は、内部に、スポンサー自体に関する法人情報（以下、スポンサー情報という）を登録するスポンサー情報登録部１２０と、ユーザ自体に関する個人情報（以下、ユーザ情報という）を登録するユーザ情報登録部１３０とを備えている。情報管理装置１００は、入力部１８０から入力される情報や、他の装置（例えば、スポンサー装置２００やユーザ装置３００など）から通信部１１０を経て様々な情報を受信する場合に、受信した情報を、記憶部１０５に一時記憶する。そして、その後、情報管理装置１００は、記憶部１０５から受信した情報を読み出して、読み出した情報に基づいて、後述の管理プログラム５０１によって規定される各種の処理（例えば、受信した情報の出力部１９０のディスプレイへの表示など）を行う。以下、この動作に関する説明については、省略する。
【００１８】
なお、スポンサー装置２００は、種々の情報を記憶する記憶部２０５と、情報管理装置１００と通信するための通信部２１０と、様々な情報（例えば、スポンサー情報や、スポンサー提供情報、契約の更新情報、その他）の送受信の管理や各種の処理を行う情報処理部２６０と、スポンサー装置２００全体の制御（例えば、プログラムの命令の解読やコンピュータの動作に必要な各種のデータの処理、タイミング制御など）を行う制御部２７０と、情報を入力する各種の装置（例えば、キーボードやマウス、スキャナ、各種記憶媒体の読取／書込装置、その他）によって構成される入力部２８０と、スポンサーが指令を与えたり或いは必要な情報を出力する各種の装置（例えば、ディスプレイやプリンタ、その他）によって構成される出力部２９０とを有している。なお、記憶部２０５は、種々の情報を読み出し自在に書き込むＲＡＭ、および、読み出し専用のＲＯＭによって構成される。スポンサー装置２００は、入力部２８０から入力される情報や、他の装置（例えば、情報管理装置１００やユーザ装置３００など）から通信部２１０を経て様々な情報を受信する場合に、受信した情報を、記憶部２０５に一時記憶する。そして、その後、スポンサー装置２００は、記憶部２０５から受信した情報を読み出して、読み出した情報に基づいて、上述のプログラムによって規定される各種の処理（例えば、受信した情報の出力部２９０のディスプレイへの表示など）を行う。以下、この動作に関する説明については、省略する。
【００１９】
また、ユーザ装置３００は、種々の情報を記憶する記憶部３０５と、情報管理装置１００と通信するための通信部３１０と、様々な情報（例えば、ユーザ情報や、スポンサー提供情報、その他）の送受信の管理や各種の処理を行う情報処理部３６０と、ユーザ装置３００全体の制御（例えば、プログラムの命令の解読やコンピュータの動作に必要な各種のデータの処理、タイミング制御など）を行う制御部３７０と、情報を入力する各種の装置（例えば、キーボードやマウス、スキャナ、ＣＤ−ＲＯＭやＤＶＤなどの各種記憶媒体の読取／書込装置、その他）によって構成される入力部３８０と、ユーザが指令を与えたり或いは必要な情報を出力する各種の装置（例えば、ディスプレイやプリンタ、その他）によって構成される出力部３９０とを有している。なお、記憶部３０５は、スポンサー装置２００の記憶部２０５と同様に、種々の情報を読み出し自在に書き込むＲＡＭ、および、読み出し専用のＲＯＭによって構成される。ユーザ装置３００は、スポンサー装置２００と同様に、入力部３８０から入力される情報や、他の装置（例えば、情報管理装置１００やスポンサー装置２００など）から通信部３１０を経て様々な情報を受信する場合に、受信した情報を、記憶部３０５に一時記憶する。そして、その後、ユーザ装置３００は、記憶部３０５から受信した情報を読み出して、読み出した情報に基づいて、上述のプログラムによって規定される各種の処理（例えば、受信した情報の出力部３９０のディスプレイへの表示など）を行う。以下、この動作に関する説明については、省略する。
【００２０】
情報管理装置１００は、以下のように動作する。
【００２１】
情報管理装置１００は、まず、スポンサー登録とユーザ登録とを行う。なお、スポンサー登録とは、スポンサー情報を情報管理装置１００に登録することを意味する。情報管理装置１００は、スポンサー装置２００からスポンサー情報を取得して、取得したスポンサー情報をスポンサー情報登録部１２０に登録する。なお、登録されたスポンサー情報には、スポンサーから代行業者に支払われる費用に関する金額情報（以下、単にスポンサー費用と称する）が含まれており、情報管理装置１００はこのスポンサー費用に応じて定まる提供回数（または提供量）の代行業務（すなわち、ユーザへのスポンサー提供情報の送信）を行う。また、ユーザ登録とは、ユーザ情報を情報管理装置１００に登録することを意味する。情報管理装置１００は、ユーザ装置３００からユーザ情報を取得して、取得したユーザ情報をユーザ情報登録部１３０に登録する。
【００２２】
情報管理装置１００は、スポンサー登録とユーザ登録とを行うと、代行業務（すなわち、ユーザへのスポンサー提供情報の送信）を行う。代行業務は、主に、ユーザが情報管理装置１００にアクセスして、閲覧を希望するスポンサー提供情報を指定することによって行われる。このとき、情報管理装置１００は、ユーザが指定したスポンサー提供情報をスポンサー装置２００から取得してユーザ装置３００に送信する。または、情報管理装置１００は、スポンサー提供情報がスポンサー情報登録部１２０に登録されている場合に、ユーザが指定したスポンサー提供情報をスポンサー情報登録部１２０から読み出してユーザ装置３００に送信する。これにより、ユーザ装置３００の出力部３９０のディスプレイは、例えば図１３（Ａ）または（Ｂ）に示す画面を表示する。
【００２３】
なお、図１３（Ａ）および（Ｂ）は、スポンサー提供情報の一例を示す図である。図１３（Ａ）は、広告の形態をしたスポンサー提供情報の一例を示しており、図１３（Ｂ）は、アンケートの形態をしたスポンサー提供情報の一例を示している。
【００２４】
図１３（Ａ）に示す例では、ユーザ装置３００は、モーターショーの開催をユーザに通知する文章と、ボックス欄へのキーワードの入力をユーザに要請する文章と、キーワードを入力するボックス欄と、「閲覧確認送信」キーとを有する画面を表示している。なお、「閲覧確認送信」キーとは、ボックス欄に入力されたキーワードを情報管理装置３００に送信するためのキーを意味する。ユーザ装置３００は、ユーザがボックス欄にキーワード（以下、返信用のキーワードと称する）を入力して「閲覧確認送信」キーを押下すると、返信用のキーワードを情報管理装置１００に送信する。情報管理装置１００は、ユーザ装置３００から、返信用のキーワードを取得すると、返信用のキーワードとスポンサー情報登録手段に登録された複数のキーワードとを比較する。そして、情報管理装置１００は、返信用のキーワードがスポンサー情報登録手段に登録された複数のキーワードのいずれかに一致する場合に、ユーザがスポンサー提供情報を閲覧したと判定して、返信用のキーワードを閲覧確認情報としてスポンサー情報登録部１２０またはユーザ情報登録部１３０に格納する。
【００２５】
図１３（Ｂ）に示す例では、ユーザ装置３００は、車に対する質問の文章と、ユーザがチェックした場合に「レ」点が入力されるチェック欄と、「アンケート回答送信」キーとを有する画面を表示している。なお、「アンケート回答送信」キーとは、チェック欄に入力された「レ」点の位置情報をアンケートの回答情報として情報管理装置３００に送信するためのキーを意味する。ユーザ装置３００は、ユーザがチェック欄に「レ」点を入力して「閲覧確認送信」キーを押下すると、「レ」点の位置情報をアンケートの回答情報として情報管理装置１００に送信する。情報管理装置１００は、ユーザ装置３００から、アンケートの回答情報を取得すると、ユーザがスポンサー提供情報を閲覧したと判定して、アンケートの回答情報を閲覧確認情報としてスポンサー情報登録部１２０またはユーザ情報登録部１３０に格納する。
【００２６】
情報管理装置１００は、ユーザがスポンサー提供情報を閲覧したと判定される度に、情報管理部１６０によって、予め定められた値のポイントを閲覧ユーザに付与する。
【００２７】
また、情報管理装置１００は、分配費用算出部１４０によって、閲覧ユーザに付与されたポイントの積算値に基づいて、閲覧ユーザに分配すべき分配費用を算出する。そして、情報管理装置１００は、支払い処理部１５０によって、スポンサー費用を原資として、算出された分配費用の支払い処理（すなわち、閲覧ユーザのユーザ装置３００への算出された分配費用の送信）を実行する。
【００２８】
また、情報管理装置１００は、予め定められたタイミングで、情報管理部１６０によって、例えば図１４に示すレポートを作成してスポンサー装置２００に送信する。なお、図１４は、レポートの一例を示す図である。予め定められたタイミングとは、例えば、提供期間が終了する場合（または、終了した場合）や、提供回数が上限値に達する場合（または、達した場合）、スポンサー費用に応じて設定された分配費用の上限値を超過する場合（または、超過した場合）などである。
【００２９】
図１５は、先願発明の情報管理装置の機能ブロックを示す図である。
【００３０】
図１５に示すように、情報管理装置１００として機能するサーバは、処理部として機能するマイクロプロセッサーユニット（以下、ＭＰＵと称する）１０１、各種の情報を一時的に記憶する記憶部として機能するランダムアクセスメモリ（以下、ＲＡＭと称する）１０２、各種の情報を恒久的に記憶する記憶部として機能するリードオンリメモリ（以下、ＲＯＭと称する）１０３、恒常的な情報を記憶する記憶部として機能するハードディスクドライブ（以下、ＨＤＤと称する）１０４、各部位に電源を供給する電源部１０９や、各種の情報を入力する入力部１８０、各種の情報を出力する出力部１９０などを有する。
【００３１】
なお、サーバは、入力部１８０の入力手段（例えば、各種記憶媒体の読取／書込装置など）を介して、プログラム媒体５００に格納された管理プログラム５０１を読み取ることによって、以下のような機能手段を内部に構築する。これにより、サーバは、情報管理装置１００として機能することになる。なお、管理プログラム５０１は、各種の情報（例えば、スポンサー情報やユーザ情報、スポンサー提供情報、その他）の送受信や管理に必要な様々な制御を実行させるためのプログラムである。
【００３２】
サーバが内部に構築する機能手段としては、通信部１１０、分配費用算出部１４０、支払い処理部１５０、情報管理部１６０、制御部１７０、情報管理装置１００と外部の機器（例えば、スポンサー装置２００やユーザ装置３００、その他）との間で送受信された様々な情報に関する通信記録情報を格納する送受信記録格納部１０７，１０７’、スポンサー情報登録部１２０，１２０’、ユーザ情報登録部１３０，１３０’などがある。
【００３３】
通信部１１０、分配費用算出部１４０、支払い処理部１５０、情報管理部１６０、および制御部１７０は、ＭＰＵ１０１に構築された機能手段である。
【００３４】
通信部１１０は、上述の通り、スポンサー装置２００やユーザ装置３００などの外部の機器と通信する機能手段である。通信部１１０は、周知の通り、情報の送信および受信を制御する。通信部１１０は、有線形式または無線形式の入出力インターフェース（図示せず）によって、外部の機器と通信する。
【００３５】
分配費用算出部１４０は、上述の通り、分配費用を算出する機能手段である。分配費用算出部１４０は、管理プログラム５０１によって機能する。
【００３６】
支払い処理部１５０は、上述の通り、ユーザへの分配費用の支払い処理を行う機能手段である。支払い処理部１５０は、管理プログラム５０１によって機能する。
【００３７】
情報管理部１６０は、上述の通り、スポンサー提供情報の送信の管理や各種の処理を行う機能手段である。なお、情報管理部１６０は、各種の処理を行うためのタイマーを有する。情報管理部１６０は、管理プログラム５０１によって機能する。
【００３８】
制御部１７０は、上述の通り、コンピュータ全体の制御（例えば、プログラムの命令の解読やコンピュータの動作に必要な各種のデータの処理、タイミング制御など）を行う機能手段である。
【００３９】
送受信記録格納部１０７とスポンサー情報登録部１２０とユーザ情報登録部１３０は、ＲＡＭ１０２に構築された機能手段である。また、送受信記録格納部１０７’とスポンサー情報登録部１２０’とユーザ情報登録部１３０’は、ＨＤＤ１０４に構築された機能手段である。
【００４０】
なお、ＲＡＭ１０２に構築された送受信記録格納部１０７とスポンサー情報登録部１２０とユーザ情報登録部１３０は、必要性の高い、比較的新しい情報を格納する。例えば、送受信記録格納部１０７は、情報管理装置１００が外部の機器（例えば、スポンサー装置２００やユーザ装置３００、その他）との間で様々な情報を送受信する都度、送受信した情報に関する通信記録情報を格納する。また、スポンサー情報登録部１２０は、スポンサーとの契約が有効となっているスポンサー情報（すなわち、スポンサー提供情報の提供期間が残っているスポンサー情報や、スポンサー提供情報の送信停止を意味するフラグ（以下、送信停止フラグと称する）が記録されていないスポンサー情報など）を更新可能な状態で格納する。また、ユーザ情報登録部１３０は、スポンサー提供情報の送信が可能なユーザ情報（すなわち、送信停止フラグが記録されていないユーザ情報など）を更新可能な状態で格納する。
【００４１】
これに対して、ＨＤＤ１０４に構築された送受信記録格納部１０７’とスポンサー情報登録部１２０’とユーザ情報登録部１３０’は、不要となった、過去の情報を格納する。例えば、送受信記録格納部１０７’は、所定期間経過後の、情報管理装置１００とスポンサー装置２００との間でまたは情報管理装置１００とユーザ装置３００との間で送受信された各種の情報を格納する。また、スポンサー情報登録部１２０’は、スポンサーとの契約が失効となっているスポンサー情報（すなわち、スポンサー提供情報の提供期間が切れたスポンサー情報や、送信停止フラグが記録されているスポンサー情報など）を格納する。また、ユーザ情報登録部１３０’は、スポンサー提供情報の送信が不可能なユーザ情報（すなわち、送信停止フラグが記録されているユーザ情報など）や、分配費用の支払いが処理済みとなっているユーザ情報を格納する。なお、スポンサー情報登録部１２０’は、スポンサーとの契約が失効となっているスポンサー情報に限らず、全てのスポンサー情報を格納することも可能である。また、ユーザ情報登録部１３０’は、スポンサー提供情報の送信が不可能なユーザ情報に限らず、全てのユーザ情報を格納することも可能である。
【００４２】
送受信記録格納部１０７，１０７’は、情報管理装置１００と外部の機器（例えば、スポンサー装置２００やユーザ装置３００、その他）との間で送受信された様々な情報に関する通信記録情報を格納するメモリ領域である。
【００４３】
送受信記録格納部１０７，１０７’に記録される通信記録情報は、例えば、スポンサー装置２００からスポンサー情報やスポンサー提供情報を受信した場合の当該スポンサー情報やスポンサー提供情報、ユーザ装置３００からアクセスを受けた場合のアクセス履歴、ユーザ装置３００から特定のスポンサー提供情報の送信依頼をする情報を受信した場合の特定情報依頼履歴、ユーザ装置３００にスポンサー提供情報を送信した場合の送信済スポンサー提供情報（または送信済スポンサー提供情報を特定することが可能な情報）、ユーザ装置３００からユーザ情報や閲覧確認情報を受信した場合の当該ユーザ情報や閲覧確認情報などである。これらの通信記録情報は、送受信記録格納部１０７にヘッダー情報とともに一時記憶される。その後、通信記録情報は、情報管理部１６０によって、そのヘッダー情報が識別される。これによって、どの通信記録情報が、どの契約Ｎｏのスポンサー情報に対応するのかが判別される。そして、各通信記録情報は、情報管理部１６０によって、各契約Ｎｏのスポンサー情報に対応づけられながら、スポンサー情報登録部１２０とユーザ情報登録部１３０の一方または両方に登録される。
【００４４】
なお、送受信記録格納部１０７は、各通信記録情報が格納してから所定期間経過すると、所定期間経過した通信記録情報を送受信記録格納部１０７’に送信して送受信記録格納部１０７’に格納させるとともに、自身から消去する。
【００４５】
スポンサー情報登録部１２０，１２０’は、スポンサー情報を登録するメモリ領域である。スポンサー情報登録部１２０，１２０’は、管理者がスポンサーと運営会社（代行業者）との間で交わされた契約書や覚え書、その他の書面に記載された情報を情報管理装置１００の入力部１８０の読取手段（例えば、スキャナなど）に読み取らせることによって情報管理装置１００に入力したスポンサー情報を、登録する。または、スポンサー情報登録部１２０，１２０’は、管理者が契約書や覚え書、その他の書面に記載された情報を目で確認して情報管理装置１００の入力部１８０の入力手段（例えば、キーボードやマウスなど）を操作することによって入力したスポンサー情報を、登録する。または、スポンサー情報登録部１２０，１２０’は、情報管理装置１００が通信部１１０によってスポンサー装置２００から受信したスポンサー情報を、登録する。
【００４６】
なお、スポンサー情報登録部１２０は、各スポンサー情報が失効になると（すなわち、スポンサー提供情報の提供期間が切れたり、送信停止フラグが記録されると）、失効したスポンサー情報をスポンサー情報登録部１２０’に送信してスポンサー情報登録部１２０’に格納させるとともに、自身から消去する。ただし、スポンサー情報登録部１２０は、送信停止フラグが記録されたスポンサー情報であっても、レポートに対するスポンサーからの応答情報（すなわち、契約を更新する旨の情報、または、契約を更新しない旨の情報など）がない場合は、スポンサーとの契約の失効が確定していないものとし、管理者によってスポンサーとの契約の失効が確定されるまで、そのスポンサー情報を格納し続ける。
【００４７】
図１６は、スポンサー情報登録部１２０に登録されたスポンサー情報の一例を示す図である。なお、スポンサー情報登録部１２０’に登録されるスポンサー情報も、図１６と同様の構成になっている。
【００４８】
図１６は、「契約Ｎｏ」や、「スポンサーＮｏ」、「項目」、「データ」などの欄が形成されたスポンサー情報を示している。
【００４９】
「契約Ｎｏ」欄は、スポンサーと運営会社との間の契約毎に割り当てられた番号（以下、契約Ｎｏと称する）を登録する欄である。情報管理部１６０は、スポンサーと運営会社との間で契約が交わされる毎に（または、スポンサーが運営会社にスポンサー提供情報のユーザへの提供依頼をする毎に）、シリアルな番号を採取し、採取した番号を契約Ｎｏとして、スポンサー情報登録部１２０に登録されたスポンサー情報の「契約Ｎｏ」欄に登録する。なお、契約Ｎｏは、同じスポンサーであっても、契約毎に異なる番号となる。
【００５０】
「スポンサーＮｏ」欄は、各スポンサーに割り当てられた番号（以下、スポンサーＮｏと称する）を登録する欄である。情報管理部１６０は、シリアルな番号を採取し、採取した番号をスポンサーＮｏとして、スポンサー情報登録部１２０に登録されたスポンサー情報の「スポンサーＮｏ」欄に登録する。なお、スポンサーＮｏは、契約Ｎｏが異なっても、同じスポンサーであれば、同じ番号となる。
【００５１】
また、図１６は、契約Ｎｏ毎に、「項目」欄に、「名称」欄や、「代表者」欄、「担当者」欄、「電話番号」欄、「ＦＡＸ番号」欄、「ＵＲＬ」欄、「メールアドレス」欄、「スポンサー費用」欄、「分配上限比率」欄、「分配費用の上限値（総額）」欄、「提供回数（予測値）」欄、「提供期間」欄、「分配費用の合計」欄、「設定条件１」〜「設定条件１０」欄、「通信履歴」欄、「送信停止」欄、その他の欄が形成されたスポンサー情報を示している。
【００５２】
「名称」欄や、「代表者」欄、「担当者」欄、「電話番号」欄、「ＦＡＸ番号」欄、「（ホームページの）ＵＲＬ」欄、「（電子）メールアドレス」欄などは、スポンサーに固有な情報を登録する欄である。
【００５３】
「スポンサー費用」欄は、スポンサー費用を登録する欄である。スポンサー費用は、スポンサーがスポンサー提供情報（すなわち、広告やアンケートなどのサービス情報）をユーザに送信してもらう代価として代行業者（すなわち、運営会社）に支払う費用である。
【００５４】
「分配上限比率」欄は、スポンサー費用の中から分配費用としてユーザに分配する上限の比率（以下、分配上限比率と称する）を登録する欄である。分配上限比率は、スポンサーの指示に基づいて、または、スポンサー費用の額に応じて、管理者によって適宜設定される。
【００５５】
「分配費用の上限値（総額）」欄は、スポンサー費用の中から分配費用としてユーザに分配する総額の上限値（以下、分配費用の上限値と称する）を登録する欄である。分配費用の上限値は、情報管理部１６０がスポンサー費用情報と分配上限比率とを掛け合わせることによって算出される。
【００５６】
「提供回数（予測値）」欄は、スポンサー提供情報の提供回数の予測値を登録する欄である。提供回数の予測値は、スポンサー費用に応じて定まる情報である。提供回数の予測値は、情報管理部１６０（または管理者）がスポンサー費用情報に基づいて算出された分配費用の上限値を後述の「一提供毎の付与ポイント」の平均値で割ることによって算出される。情報管理部１６０は、スポンサー提供情報の提供回数がスポンサー情報登録部１２０に登録された提供回数の予測値を超過した場合に、ユーザ装置３００へのスポンサー提供情報の送信を停止する。
【００５７】
「提供期間」欄は、スポンサー提供情報の提供期間を登録する欄である。提供期間は、スポンサー費用に応じて定まる情報である。提供期間は、管理者によってスポンサー費用に応じて適宜設定される。情報管理部１６０は、スポンサー提供情報の提供期間がスポンサー情報登録部１２０に登録された提供期間を超過した場合に、ユーザ装置３００へのスポンサー提供情報の送信を停止する。
【００５８】
なお、情報管理装置１００は、「名称」欄や、「代表者」欄、「担当者」欄、「電話番号」欄、「ＦＡＸ番号」欄、「（ホームページの）ＵＲＬ」欄、「メールアドレス」欄、「スポンサー費用」欄、「提供期間」欄などに登録する情報を、スポンサー装置２００から電子情報として取得することができる。
【００５９】
「設定条件」欄は、スポンサー提供情報を送信するユーザを抽出するために、スポンサーによって設定された条件を登録する欄である。
【００６０】
「通信履歴」欄は、情報管理装置１００とスポンサー装置２００との間で送受信された通信履歴や、情報管理装置１００とユーザ装置３００との間の送受信された通信履歴を登録する欄である。通信履歴には、提供日時や、スポンサー提供情報を送信した宛先のユーザＮｏ、分配費用、支払い処理日、支払い方法などの情報を含めることができる。情報管理部１６０は、契約Ｎｏ毎に、スポンサー提供情報をユーザ装置３００に送信した場合や、ユーザ装置３００からユーザからの応答情報（すなわち、返信用のキーワードやアンケートの回答情報など）を受信した場合、ユーザへの分配費用を算出した場合、ユーザに分配費用を支払った場合などに、これらの通信履歴をスポンサー情報登録部１２０に登録する。
【００６１】
「送信停止」欄は、スポンサー提供情報の送信を停止する場合に、管理者によって予め定められた、送信停止フラグ（すなわち、スポンサー提供情報の送信停止を意味するフラグ）を登録する欄である。以下、送信停止フラグが登録されたスポンサーと送信停止フラグが登録されていないスポンサーとを区別する場合に、前者を送信停止スポンサーと称し、後者を送信継続スポンサーと称する。
【００６２】
図１６は、契約Ｎｏが「７０４３」のスポンサー情報として、スポンサーＮｏが「１６７８ｂａ」、名称が「○○○○株式会社」、代表者が「××××」、担当者が「××××」、電話番号が「０３−××××−××××」、ＦＡＸ番号が「０３−××××−××××」、ＵＲＬが「http://www.a01.co.jp」、メールアドレスが「aabbcc@xxyy.ne.jp」、スポンサー費用が「１，０００，０００円」、分配上限比率が「７５％」、分配費用の上限値が「７５０，０００円」、提供回数の予測値が「２５００回」、提供期間が「２００４０７０１〜２００４０９３０」、分配費用の合計が「５２６，５５０円」となっていることを示している。
【００６３】
また、図１６は、契約Ｎｏが「７０４３」のスポンサー情報の設定条件１〜３として、抽出するユーザの結婚歴が「未婚」、性別が「男性」、住所が「東京」または「埼玉」となっていることを示している。
【００６４】
また、図１６は、契約Ｎｏが「７０４３」のスポンサー情報として、通信履歴が「××××××」、送信停止が空白（すなわち、存在せず）となっていることを示している。
【００６５】
ユーザ情報登録部１３０，１３０’は、ユーザ情報を登録するメモリ領域である。ユーザは、ユーザ装置３００の入力部３８０の入力手段（例えば、キーボードやマウスなど）を操作してユーザ情報を入力する。すると、ユーザ装置３００は、情報処理部３６０における処理によって、通信部３１０を介して、ユーザ情報を情報管理装置１００に送信する。情報管理装置１００は、ユーザ装置３００から送信されたユーザ情報を通信部１１０で受信し、受信したユーザ情報をユーザ情報登録部１３０に登録する。なお、ユーザ情報登録部１３０は、スポンサー提供情報の送信が不可能になると、そのユーザのユーザ情報をユーザ情報登録部１３０’に送信してユーザ情報登録部１３０’に登録させた後、そのユーザのユーザ情報を消去する。
【００６６】
なお、ユーザ情報登録部１３０に格納されたユーザ情報は、各ユーザ情報がスポンサー提供情報を受け付けなくなると（すなわち、送信停止フラグが記録されると）、受け付けなくなったユーザ情報をユーザ情報登録部１３０’に送信してユーザ情報登録部１３０’に格納させるとともに、自身から消去する。ただし、ユーザ情報登録部１３０は、送信停止フラグが記録されたユーザ情報であっても、分配費用の支払いが未処理となっている場合は、分配費用の支払いが処理されるまで、そのユーザ情報を格納し続ける。
【００６７】
図１７は、ユーザ情報登録部１３０に登録されたユーザ情報の一例を示す図である。なお、ユーザ情報登録部１３０’に登録されるユーザ情報も、図１７と同様の構成になっている。
【００６８】
図１７に示す例は、「登録Ｎｏ」や、「ユーザＮｏ」、「項目」、「データ」などの欄が形成されたユーザ情報を示している。
【００６９】
「登録Ｎｏ」欄は、ユーザ登録毎に割り当てられた番号（以下、登録Ｎｏと称する）を登録する欄である。情報管理部１６０は、ユーザ登録される毎に、シリアルな番号を採取し、採取した番号を登録Ｎｏとして、ユーザ情報登録部１３０に登録されたユーザ情報の「登録Ｎｏ」欄に登録する。
【００７０】
「ユーザＮｏ」欄は、各ユーザに割り当てられた番号（以下、ユーザＮｏと称する）を登録する欄である。情報管理部１６０は、シリアルな番号を採取し、採取した番号をユーザＮｏとして、ユーザ情報登録部１３０に登録されたユーザ情報の「ユーザＮｏ」欄に登録する。
【００７１】
また、図１７は、登録Ｎｏ毎に、「項目」欄に、「一提供毎の付与ポイント」欄や、「未処理積算ポイント」欄、「ポイント換算額」欄、「未処理積算分配費用」欄、「処理済分配費用」欄、「支払い処理履歴」欄、「ニックネーム」欄や、「パスワード」欄、「メールアドレス」欄、「電話番号」欄、「住所エリア」欄、「性別」欄、「年齢」欄、「職業」欄、「年収」欄、「結婚歴」欄、「子供の人数」欄、「持ち家の有無」欄、「車の有無」欄、「趣味」欄、「好きなブランド」欄、「最寄の駅」欄、「よく行くエリア」欄、「支払い方法」欄、「振込先」欄、「振込元」欄、「通信履歴」欄、「送信停止」欄、その他の欄が形成されたユーザ情報を示している。
【００７２】
「一提供毎の付与ポイント」欄は、スポンサー提供情報がユーザに提供される毎に、ユーザに付与されるポイント（以下、一提供毎の付与ポイントと称する）を登録する欄である。なお、ユーザは、多くの項目にユーザ情報を登録するほど多くのポイントが得られるようになっている。情報管理装置１００は、スポンサー提供情報をユーザ装置３００に送信しただけでは、ポイントをユーザに付与しない。その代わりに、情報管理装置１００は、スポンサー提供情報をユーザ装置３００に送信した後、ユーザからの応答情報（すなわち、返信用のキーワードやアンケートの回答情報など）をユーザ装置３００から受信した場合に、ポイントをユーザに付与する。
【００７３】
「未処理積算ポイント」欄は、ユーザへの分配費用の支払いが未処理となっている、ユーザが獲得したポイントの積算値（以下、未処理積算ポイントと称する）を登録する欄である。
【００７４】
「ポイント換算額」欄は、ポイントに対する現金（例えば、円）の換算額（以下、ポイント換算額と称する）を登録する欄である。なお、「ポイント換算額」欄は、スポンサー情報登録部１２０とユーザ情報登録部１３０の両方に形成することも可能である。例えば、スポンサーとユーザが異なる国に属する場合に、「ポイント換算額」欄に格納されるポイント換算額は、スポンサーとユーザが、それぞれ、属する国の通貨単位の額となる。情報管理装置１００の分配費用算出部１４０は、為替相場における日々の変動に応じて、ポイント換算額を、一方の国（例えば、ユーザの国）の通貨単位の額から他方の国（例えば、スポンサーの国）の通貨単位の額に変換して用いることになる。
【００７５】
「未処理積算分配費用」欄は、ユーザへの支払いが未処理となっている、ユーザが獲得した分配費用の積算金額（以下、未処理積算分配費用と称する）を登録する欄である。未処理積算分配費用は、情報管理部１６０が未処理積算ポイントとポイント換算額とを掛け合わせることによって算出される。
【００７６】
「処理済分配費用」欄は、ユーザへの支払いがなされた分配費用の合計を登録する欄である。
【００７７】
「支払い処理履歴」欄は、ユーザへの分配費用の支払いを処理した履歴を登録する欄である。
【００７８】
「ニックネーム」欄や、「パスワード」欄、「メールアドレス」欄、「電話番号」欄、「住所エリア」欄、「性別」欄、「年齢」欄、「職業」欄、「年収」欄、「結婚歴」欄、「子供の人数」欄、「持ち家の有無」欄、「車の有無」欄、「趣味」欄、「好きなブランド」欄、「最寄の駅」欄、「よく行くエリア」欄などは、ユーザに固有な情報を登録する欄である。
【００７９】
「支払い方法」欄は、ユーザへの分配費用の支払い方法を登録する欄である。支払い方法は、分配費用を電子マネーとしてユーザ装置３００に送信する「ダイレクト」と、分配費用をユーザによって指定された金融機関の口座に振り込む「口座振込」とがある。
【００８０】
「振込先」欄は、支払い方法が「口座振込」となる場合に、分配費用の振込先となる金融機関の口座を登録する欄である。
【００８１】
「振込元」欄は、支払い方法が「口座振込」となる場合に、分配費用の振込元を登録する欄である。振込元は、ユーザによって設定されるが、空白（すなわち、存在せず）にすることもできる。この場合、情報管理装置１００が、運営会社の社名を登録することになる。
【００８２】
「通信履歴」欄は、情報管理装置１００とユーザ装置３００との間の送受信された通信履歴を登録する欄である。通信履歴には、提供日時や、提供先ユーザＮｏ、分配費用、支払い処理日、支払い方法などの情報を含めることができる。情報管理部１６０は、登録Ｎｏ毎に、スポンサー提供情報をユーザ装置３００に送信した場合や、ユーザ装置３００からユーザからの応答情報（すなわち、返信用のキーワードやアンケートの回答情報など）を受信した場合、ユーザへの分配費用を算出した場合、ユーザに分配費用を支払った場合などに、これらの通信履歴をスポンサー情報登録部１２０に登録する。
【００８３】
「送信停止」欄は、スポンサー提供情報の送信を停止する場合に、送信停止フラグを登録する欄である。情報管理部１６０は、例えば、ユーザ装置３００がスポンサー提供情報を受信しなくなった場合に、送信停止フラグを、ユーザ情報登録部１３０に登録されたユーザ情報の「送信停止」欄に登録する。
【００８４】
図１７は、登録Ｎｏが「２５７，８９６」のユーザ情報として、ユーザＮｏが「１５６８１ａ」、一提供毎の付与ポイントが「１５０ポイント」、未処理の積算ポイントが「３，０００ポイント」、ポイント換算額が「１ポイント＝１円」、未処理の積算分配費用が「３，０００円」、処理済みの分配費用が「０円」、支払い処理履歴が空白（すなわち、存在せず）、ニックネームが「××××」、パスワードが「××××」、電子メールアドレスが 「ddeeff@yyzz.ne.jp」、電話番号が「０３−××××−××××」、住所エリアが「東京」、性別が「男」、年齢が「２６」、職業が「会社員」、年収が「５０１〜７５０万円」、結婚歴が「未婚」、子供の人数が「０」、持ち家の有無が「無し」、車の有無が「無し」、趣味が「××××」、好きなブランドが「××××」、最寄の駅が「××××」、よく行くエリアが「××××」、支払い方法が「ダイレクト」、振込先が空白（すなわち、存在せず）、振込元が空白（すなわち、存在せず）、通信履歴が空白（すなわち、存在せず）、送信停止が空白（すなわち、存在せず）となっていることを示している。
【００８５】
また、図１７は、登録Ｎｏが「２５７８９７」のユーザ情報として、ユーザＮｏが「２３４２１ｂ」、支払い方法が「口座振込」、振込先が「○○○○○○」、振込元が「××××××」、過去の通信履歴が「××××」、送信停止が送信停止フラグである「××××」となっていることを示している。
【特許文献１】特開２００４−１５２０７３号公報（第３３段落〜第７８段落、図１〜図５）
【発明の開示】
【発明が解決しようとする課題】
【００８６】
本出願人の先願発明の情報管理装置は、以下に説明するように、閲覧ユーザがスポンサーにとって価値の低いユーザであるにもかかわらず、その価値の低い閲覧ユーザに、高いポイントを付与する場合があった。そのため、この先願発明の情報管理装置には、原資を無駄に消費する場合があるという課題があった。
【００８７】
すなわち、この先願発明では、ユーザ情報を登録した項目数が多いユーザほど、価値の高いユーザであると見なしていた。そのため、この先願発明の情報管理装置は、ユーザ情報を登録した項目数が多い閲覧ユーザに、高いポイントを付与していた。
【００８８】
しかしながら、スポンサーにとっては、スポンサーの商品やサービスを購入する可能性の高いユーザほど、価値の高いユーザとなり、スポンサーの商品やサービスを購入する可能性の低いユーザほど、価値の低いユーザとなる。以下、スポンサーにとって価値の高いユーザ（すなわち、スポンサーの商品やサービスを購入する可能性の高いユーザ）を、優良ユーザと称し、スポンサーにとって価値の低いユーザ（すなわち、スポンサーの商品やサービスを購入する可能性の低いユーザ）を、非優良ユーザと称する。
【００８９】
そのため、この先願発明の情報管理装置は、閲覧ユーザが非優良ユーザであっても、その閲覧ユーザが多くの項目にユーザ情報を登録していれば、価値の高いユーザであると見なしていた。この場合、この先願発明の情報管理装置は、非優良ユーザに高いポイントを付与していた。
【００９０】
このように、この先願発明の情報管理装置は、閲覧ユーザが非優良ユーザ（すなわち、スポンサーにとって価値の低いユーザ）であるにもかかわらず、その閲覧ユーザに、高いポイントを付与する場合があった。そのため、この先願発明の情報管理装置には、原資を無駄に消費する場合があるという課題があった。
【００９１】
分配可能な原資（すなわち、スポンサー費用の一部）には、限りがある。そのため、情報管理装置では、原資の無駄な消費を防止することが好ましい。原資の無駄な消費を防止するためには、情報管理装置は、非優良ユーザによるスポンサー提供情報の閲覧回数を減らす必要がある。
【００９２】
そこで、この発明は、優良ユーザに集中的にスポンサー提供情報を送信する情報管理装置および情報管理方法を提供することを目的とする。
【課題を解決するための手段】
【００９３】
上述の課題を解決するために、請求項１に記載の情報管理装置は、情報の送り手となるスポンサーに関する情報を登録するスポンサー情報登録手段と、情報の受け手となるユーザに関する情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する。
【００９４】
そして、この情報管理手段は、条件適合者抽出手段と、ユーザページ作成手段と、ポイント付与手段とを有する。
【００９５】
上述の条件適合者抽出手段は、ユーザ情報登録手段に登録された登録ユーザの中からスポンサーによって指定された条件に適合するユーザを条件適合者として抽出する機能と、条件適合者をポイント付与予定者としてスポンサー提供情報に関連付けてスポンサー情報登録手段に登録する機能とを備える。
【００９６】
上述のユーザページ作成手段は、ユーザ情報登録手段に登録された個々の登録ユーザ毎に、ユーザ装置によって表示されるページを作成する機能と、作成したページをユーザページとしてユーザ情報登録手段に登録する機能と、さらに、条件適合者抽出手段によって抽出された条件適合者に送信可能なスポンサー提供情報のタイトル情報を条件適合者のユーザページに掲載する機能とを備える。
【００９７】
上述のポイント付与手段は、ユーザページ作成手段によって条件適合者のユーザページに掲載されたスポンサー提供情報のタイトル情報に基づいて、スポンサー提供情報を閲覧した閲覧ユーザが存在する場合に、閲覧ユーザとスポンサー情報登録手段に登録されたポイント付与予定者とを比較することによって、閲覧ユーザがポイント付与予定者か否かを判定する機能と、閲覧ユーザがポイント付与予定者であると判定されたときに、予め定められたポイントを閲覧ユーザに付与する機能とを備える。
【００９８】
この情報管理装置は、ユーザページ作成手段によって、個々の登録ユーザ毎にユーザページを作成するとともに、条件適合者抽出手段によって、条件適合者を抽出して、条件適合者のユーザページにスポンサー提供情報のタイトル情報を掲載する。
【００９９】
この後、情報管理装置は、ユーザページに掲載されたタイトル情報に基づいて、スポンサー提供情報を閲覧した閲覧ユーザが存在する場合に、ポイント付与手段によって、閲覧ユーザがポイント付与予定者であるか否かを判定し、閲覧ユーザがポイント付与予定者であると判定されたときに、予め定められたポイントを閲覧ユーザに付与する。具体的には、各登録ユーザは、各自のユーザ装置を操作して、ユーザページの送信を情報管理装置に指示する。情報管理装置の情報管理手段は、この指示に応答して、ユーザページの送信を指示した登録ユーザのユーザページを、当該登録ユーザのユーザ装置に送信する。これにより、当該登録ユーザは、自身のユーザページをユーザ装置のディスプレイに表示することができる。その結果、当該登録ユーザは、ディスプレイに表示された自身のユーザページに基づいて、閲覧を希望するスポンサー提供情報の送信を情報管理装置に指示することができる。ここで、当該登録ユーザがあるスポンサー提供情報の送信を情報管理装置に指示したとする。この場合、情報管理装置の情報管理手段は、この指示に応答して、指示された案件のスポンサー提供情報を当該ユーザのユーザ装置に送信する。これにより、当該登録ユーザは、閲覧を希望するスポンサー提供情報をユーザ装置のディスプレイに表示することができる。当該登録ユーザのユーザ装置は、当該登録ユーザがディスプレイに表示されたスポンサー提供情報を閲覧した場合に、当該スポンサー提供情報を閲覧したことを示す情報（以下、閲覧確認情報と称する）を情報管理装置に送信する。情報管理装置の情報管理手段は、当該登録ユーザのユーザ装置から閲覧確認情報を受信すると、その閲覧確認情報の受信をもって、当該登録ユーザを閲覧ユーザと見なす。この後、情報管理装置のポイント付与手段は、スポンサー情報登録手段から予め登録されたポイント付与予定者の情報を読み出し、読み出したポイント付与予定者の情報に基づいて、当該閲覧ユーザがポイント付与予定者であるか否かを判定する。そして、閲覧ユーザがポイント付与予定者であると判定されたときに、情報管理装置のポイント付与手段は、予め定められたポイントを閲覧ユーザに付与する。
【０１００】
請求項２に記載の情報管理装置によれば、条件適合者抽出手段は、条件適合者をボーナスポイント付与予定者としてスポンサー提供情報に関連付けてスポンサー情報登録手段に登録している。そして、ポイント付与手段は、閲覧ユーザがボーナスポイント付与予定者か否かを判定し、閲覧ユーザがボーナスポイント付与予定者であると判定されたときに、ボーナスポイントを含む、予め定められたポイントを閲覧ユーザに付与する。
【０１０１】
請求項３に記載の情報管理装置によれば、スポンサー情報登録手段は、項目毎に付与するポイントの重み付けが設定されたポイントテーブルを予め格納している。そして、ユーザページ作成手段は、条件適合者抽出手段によって抽出された条件適合者に送信可能なスポンサー提供情報のタイトル情報を条件適合者のユーザページに掲載する場合に、ユーザ情報登録手段から条件適合者のユーザ情報を読み出すとともに、スポンサー情報登録手段からポイントテーブルを読み出し、条件適合者のユーザ情報の中から付与条件に一致する項目を抽出して、抽出された当該項目に応じてポイントテーブルに設定されたポイントの積算値を算出し、当該ポイントの積算値をボーナスポイントとして、ユーザＮｏと対応付けて、スポンサー情報登録手段に登録する。
【０１０２】
請求項４に記載の情報管理装置によれば、条件適合者抽出手段は、条件適合者をボーナスポイント付与予定者としてスポンサー提供情報に関連付けてスポンサー情報登録手段に登録するとともに、スポンサー提供情報に添付して条件適合者のユーザ装置に送信するファイルを、スポンサー提供情報に関連付けて、スポンサー情報登録部に登録する。そして、ポイント付与手段は、ファイルを閲覧した閲覧ユーザが存在する場合に、当該閲覧ユーザがボーナスポイント付与予定者か否かを判定し、当該閲覧ユーザがボーナスポイント付与予定者であると判定されたときに、ボーナスポイントを当該閲覧ユーザに付与する。
【０１０３】
請求項５に記載の情報管理装置によれば、スポンサー提供情報は、中に、閲覧確認情報用の複数のキーワードを含んでいる。そして、ポイント付与手段は、閲覧ユーザのユーザ装置からスポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する。
【０１０４】
請求項６に記載の情報管理方法は、請求項１に記載の装置発明と同様に、情報の送り手となるスポンサーに関する情報を登録するスポンサー情報登録手段と、情報の受け手となるユーザに関する情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置を用いて、スポンサー提供情報の送信を管理する。
【０１０５】
そして、この情報管理手段は、条件適合者抽出手段と、ユーザページ作成手段と、ポイント付与手段とを有しており、それぞれ、条件適合者抽出工程と、ユーザページ作成工程と、ポイント付与工程とを実行する。
【０１０６】
上述の条件適合者抽出工程では、条件適合者抽出手段が、ユーザ情報登録手段に登録された登録ユーザの中からスポンサーによって指定された条件に適合するユーザを条件適合者として抽出し、当該条件適合者をポイント付与予定者としてスポンサー提供情報に関連付けてスポンサー情報登録手段に登録する。
【０１０７】
上述のユーザページ作成工程では、ユーザ情報登録手段に登録された個々の登録ユーザ毎にユーザ装置によって表示されるページを作成して、作成した当該ページをユーザページとしてユーザ情報登録手段に登録し、さらに、条件適合者抽出工程によって抽出された条件適合者に送信可能なスポンサー提供情報のタイトル情報を条件適合者のユーザページに掲載する。
【０１０８】
上述のポイント付与工程では、ポイント付与手段が、ユーザページ作成工程によって条件適合者のユーザページに掲載されたスポンサー提供情報のタイトル情報に基づいて、スポンサー提供情報を閲覧した閲覧ユーザが存在する場合に、当該閲覧ユーザとスポンサー情報登録手段に登録されたポイント付与予定者とを比較することによって、当該閲覧ユーザがポイント付与予定者か否かを判定し、当該閲覧ユーザがポイント付与予定者であると判定されたときに、予め定められたポイントを当該閲覧ユーザに付与する。
【０１０９】
この情報管理方法は、ユーザページ作成工程で、個々の登録ユーザ毎にユーザページを作成するとともに、条件適合者抽出工程で、条件適合者を抽出して、条件適合者のユーザページにスポンサー提供情報のタイトル情報を掲載する。
【０１１０】
この後、情報管理方法は、ユーザページに掲載されたタイトル情報に基づいて、スポンサー提供情報を閲覧した閲覧ユーザが存在する場合に、ポイント付与工程で、閲覧ユーザがポイント付与予定者であるか否かを判定し、閲覧ユーザがポイント付与予定者であると判定されたときに、予め定められたポイントを閲覧ユーザに付与する。具体的には、各登録ユーザは、各自のユーザ装置を操作して、ユーザページの送信を情報管理装置に指示する。情報管理装置の情報管理手段は、この指示に応答して、ユーザページの送信を指示した登録ユーザのユーザページを、当該登録ユーザのユーザ装置に送信する。これにより、当該登録ユーザは、自身のユーザページをユーザ装置のディスプレイに表示することができる。その結果、当該登録ユーザは、ディスプレイに表示された自身のユーザページに基づいて、閲覧を希望するスポンサー提供情報の送信を情報管理装置に指示することができる。ここで、当該登録ユーザがあるスポンサー提供情報の送信を情報管理装置に指示したとする。この場合、情報管理装置の情報管理手段は、この指示に応答して、指示された案件のスポンサー提供情報を当該ユーザのユーザ装置に送信する。これにより、当該登録ユーザは、閲覧を希望するスポンサー提供情報をユーザ装置のディスプレイに表示することができる。当該登録ユーザのユーザ装置は、当該登録ユーザがディスプレイに表示されたスポンサー提供情報を閲覧した場合に、当該スポンサー提供情報を閲覧したことを示す情報（以下、閲覧確認情報と称する）を情報管理装置に送信する。情報管理装置の情報管理手段は、当該登録ユーザのユーザ装置から閲覧確認情報を受信すると、その閲覧確認情報の受信をもって、当該登録ユーザを閲覧ユーザと見なす。この後、情報管理装置のポイント付与手段は、スポンサー情報登録手段から予め登録されたポイント付与予定者の情報を読み出し、読み出したポイント付与予定者の情報に基づいて、当該閲覧ユーザがポイント付与予定者であるか否かを判定する。そして、閲覧ユーザがポイント付与予定者であると判定されたときに、情報管理装置のポイント付与手段は、予め定められたポイントを閲覧ユーザに付与する。
【０１１１】
請求項７に記載の情報管理装置によれば、請求項２に記載の装置発明と同様に、条件適合者抽出工程では、情報管理手段は、条件適合者をボーナスポイント付与予定者としてスポンサー提供情報に関連付けてスポンサー情報登録手段に登録している。そして、ポイント付与工程では、情報管理手段は、閲覧ユーザがボーナスポイント付与予定者か否かを判定し、閲覧ユーザがボーナスポイント付与予定者であると判定されたときに、ボーナスポイントを含む、予め定められたポイントを閲覧ユーザに付与する。
【０１１２】
請求項８に記載の情報管理装置によれば、請求項３に記載の装置発明と同様に、スポンサー情報登録手段は、項目毎に付与するポイントの重み付けが設定されたポイントテーブルを予め格納している。そして、ユーザページ作成工程では、ユーザページ作成手段は、条件適合者抽出手段によって抽出された条件適合者に送信可能なスポンサー提供情報のタイトル情報を条件適合者のユーザページに掲載する場合に、ユーザ情報登録手段から条件適合者のユーザ情報を読み出すとともに、スポンサー情報登録手段からポイントテーブルを読み出し、条件適合者のユーザ情報の中から付与条件に一致する項目を抽出して、抽出された当該項目に応じてポイントテーブルに設定されたポイントの積算値を算出し、当該ポイントの積算値をボーナスポイントとして、ユーザＮｏと対応付けて、スポンサー情報登録手段に登録する。
【０１１３】
請求項９に記載の情報管理装置によれば、請求項４に記載の装置発明と同様に、条件適合者抽出工程では、条件適合者抽出手段は、条件適合者をボーナスポイント付与予定者としてスポンサー提供情報に関連付けてスポンサー情報登録手段に登録するとともに、スポンサー提供情報に添付して条件適合者のユーザ装置に送信するファイルを、スポンサー提供情報に関連付けて、スポンサー情報登録部に登録する。そして、ポイント付与工程では、ポイント付与手段は、ファイルを閲覧した閲覧ユーザが存在する場合に、当該閲覧ユーザがボーナスポイント付与予定者か否かを判定し、当該閲覧ユーザがボーナスポイント付与予定者であると判定されたときに、ボーナスポイントを当該閲覧ユーザに付与する。
【０１１４】
請求項１０に記載の情報管理装置によれば、請求項５に記載の装置発明と同様に、スポンサー提供情報は、中に、閲覧確認情報用の複数のキーワードを含んでいる。そして、ポイント付与工程では、ポイント付与手段は、閲覧ユーザのユーザ装置からスポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する。
【０１１５】
請求項１１に記載のプログラムは、コンピュータにより、上述の情報管理装置、すなわち、スポンサー情報登録手段とユーザ情報登録手段と通信手段と情報管理手段とを有し、その中の情報管理手段は、条件適合者抽出手段とユーザページ作成手段とポイント付与手段とを有する情報管理装置を実現する。
【０１１６】
このプログラムは、ユーザページ作成手段によって、個々の登録ユーザ毎にユーザページを作成するとともに、条件適合者抽出手段によって、条件適合者を抽出して、条件適合者のユーザページにスポンサー提供情報のタイトル情報を掲載するように、コンピュータを駆動する。この後、プログラムは、ユーザページに掲載されたタイトル情報に基づいて、スポンサー提供情報を閲覧した閲覧ユーザが存在する場合に、ポイント付与手段によって、閲覧ユーザがポイント付与予定者であるか否かを判定し、閲覧ユーザがポイント付与予定者であると判定されたときに、予め定められたポイントを閲覧ユーザに付与するように、コンピュータを駆動する。
【発明の効果】
【０１１７】
請求項１に記載情報管理装置によれば、閲覧ユーザが予め登録されたポイント付与予定者であると判定されたときに、予め定められたポイントを閲覧ユーザに付与する。
【０１１８】
この情報管理装置によれば、優良ユーザ（すなわち、スポンサーの商品を購入する可能性の高いユーザ）となる可能性の高い条件適合者に集中して、ポイントを付与することができる。これにより、優良ユーザは、高いポイントを得ることができ、その結果、高い分配費用を得ることができる。そのため、優良ユーザは、スポンサー提供情報の閲覧機会が増加するように、行動する。具体的には、優良ユーザは、できるだけ多くのタイトル情報が自身のユーザページに掲載されるように、詳細なユーザ情報をユーザ情報登録手段に登録するようになる。また、優良ユーザは、積極的に、自身のユーザページを閲覧して、スポンサー提供情報を受信するようになる。したがって、情報管理装置は、スポンサー提供情報の閲覧機会が増加するように、優良ユーザに積極的に行動させることができる。そのため、情報管理装置は、優良ユーザに集中的にスポンサー提供情報を送信することができる。
【０１１９】
その結果、情報管理装置は、非優良ユーザ（すなわち、スポンサーの商品を購入する可能性の低いユーザ）に高いポイントを付与するのを防止することができ、原資の無駄な消費を防止することができる。
【０１２０】
また、請求項２に記載の情報管理装置によれば、閲覧ユーザが予め登録されたボーナスポイント付与予定者であると判定されたときに、ボーナスポイントを含む予め定められたポイント、具体的には、通常のポイントとボーナスポイントとの合計ポイント（ただし、ボーナスポイントのみでもよい）を閲覧ユーザに付与する。
【０１２１】
この情報管理装置によれば、優良ユーザとなる可能性の高い条件適合者に集中して、請求項１に記載の情報管理装置よりも高いポイントを付与することができる。そのため、優良ユーザは、スポンサー提供情報の閲覧機会が増加するように、さらに、積極的に行動する。したがって、この情報管理装置は、スポンサー提供情報の閲覧機会が増加するように、請求項１に記載の情報管理装置よりも、さらに、優良ユーザに積極的に行動させることができる。
【０１２２】
また、請求項３に記載の情報管理装置によれば、条件適合者に送信可能なスポンサー提供情報のタイトル情報を条件適合者のユーザページに掲載する場合に、ポイントテーブルに基づいて、条件適合者毎に、ボーナスポイントを算出して、そのボーナスポイントをユーザＮｏと対応付けて、スポンサー情報登録手段に登録する。
【０１２３】
この情報管理装置によれば、個々の閲覧ユーザ毎に、異なる値のポイントを付与することができる。
【０１２４】
請求項４に記載の情報管理装置によれば、閲覧ユーザが添付のファイルを閲覧した場合で、かつ、閲覧ユーザが予め登録されたボーナスポイント付与予定者であると判定されたときに、ボーナスポイントを閲覧ユーザに付与する。
【０１２５】
これにより、この情報管理装置は、ボーナスポイント付与予定者である閲覧ユーザが、スポンサー提供情報に添付されたファイルを閲覧した場合に、ボーナスポイントを閲覧ユーザに付与することができる。
【０１２６】
請求項５に記載の情報管理装置によれば、閲覧ユーザのユーザ装置から受信した閲覧確認情報用のキーワードがボーナスポイントに該当するキーワードであると判定されたときに、ボーナスポイントを当該閲覧ユーザに付与する。
【０１２７】
これにより、この情報管理装置は、閲覧ユーザによって送信された閲覧確認情報用のキーワードがボーナスポイントに該当するキーワードであるときに、ボーナスポイントを当該閲覧ユーザに付与することができる。
【０１２８】
請求項６に記載の情報管理方法は、請求項１に記載の情報管理装置と同様に、優良ユーザとなる可能性の高い条件適合者に集中して、ポイントを付与することができる。したがって、情報管理方法は、スポンサー提供情報の閲覧機会が増加するように、優良ユーザに積極的に行動させることができる。そのため、情報管理方法は、優良ユーザに集中的にスポンサー提供情報を送信することができる。
【０１２９】
その結果、情報管理方法は、非優良ユーザ（すなわち、スポンサーの商品を購入する可能性の低いユーザ）に高いポイントを付与するのを防止することができ、原資の無駄な消費を防止することができる。
【０１３０】
また、請求項７に記載の情報管理方法によれば、請求項２に記載の情報管理装置と同様に、スポンサー提供情報の閲覧機会が増加するように、請求項６に記載の情報管理方法よりも、さらに、優良ユーザに積極的に行動させることができる。
【０１３１】
また、請求項８に記載の情報管理方法によれば、請求項３に記載の情報管理装置と同様に、個々の閲覧ユーザ毎に、異なる値のポイントを付与することができる。
【０１３２】
請求項９に記載の情報管理装置によれば、請求項４に記載の装置発明と同様に、閲覧ユーザが添付のファイルを閲覧した場合で、かつ、閲覧ユーザが予め登録されたボーナスポイント付与予定者であると判定されたときに、ボーナスポイントを閲覧ユーザに付与する。
【０１３３】
これにより、この情報管理方法は、ボーナスポイント付与予定者である閲覧ユーザが、スポンサー提供情報に添付されたファイルを閲覧した場合に、ボーナスポイントを閲覧ユーザに付与することができる。
【０１３４】
請求項１０に記載の情報管理装置によれば、請求項５に記載の装置発明と同様に、閲覧ユーザのユーザ装置から受信した閲覧確認情報用のキーワードがボーナスポイントに該当するキーワードであると判定されたときに、ボーナスポイントを当該閲覧ユーザに付与する。
【０１３５】
これにより、この情報管理方法は、閲覧ユーザによって送信された閲覧確認情報用のキーワードがボーナスポイントに該当するキーワードであるときに、ボーナスポイントを当該閲覧ユーザに付与することができる。
【０１３６】
また、請求項１１に記載のプログラムは、請求項１〜３のいずれか１項に記載の情報管理装置と同様に、スポンサー提供情報の閲覧機会が増加するように、優良ユーザに積極的に行動させることができる。
【発明を実施するための最良の形態】
【０１３７】
以下に、図を参照してこの発明の実施の形態を説明する。なお、各図は、各構成要素を、この発明を理解できる程度に、概略的に示してあるに過ぎない。よって、この発明は図示例のみに限定されるものではない。また、各図において、共通する構成要素や同様な構成要素については、同一の符号を付し、それらの重複する説明を省略する。
【０１３８】
なお、この発明は、以下の実施例に限定されることなく、この発明の要旨を逸脱しない範囲で種々の変更や変形を行うことができる。
【０１３９】
[実施例１]
＜情報管理装置の構成について＞
以下に、図１と図２を参照して、この発明が適用される情報管理装置の構成について説明する。
【０１４０】
図１は、この発明の情報管理装置の構成を示す図である。また、図２は、この発明の情報管理装置の機能ブロックを示す図である。なお、図１と図２中、本出願人の上述した先願発明の情報管理装置と同様の構成（図１２と図１５参照）については、同一の符号を付し、この先願発明の情報管理装置１００を情報管理装置１００ａに読み替えるとともに、この先願発明の情報管理部１６０を情報管理部１６０ａに読み替えて説明する。なお、情報管理装置１００ａとスポンサー装置２００との間で送受信される情報には、スポンサーを特定するために、スポンサー毎に付されたスポンサーＩＤが含まれている。情報管理装置１００ａは、このスポンサーＩＤを識別することによって、情報を送受信しているスポンサー装置２００がどの契約のスポンサーによって使用されている装置であるのかを特定する。これにより、情報管理装置１００ａは、スポンサー装置２００との間で、様々な情報を適正に送受信する。また、同様に、情報管理装置１００ａとユーザ装置３００との間で送受信される情報には、ユーザを特定するために、ユーザ毎に付されたユーザＩＤが含まれている。情報管理装置１００ａは、このユーザＩＤを識別することによって、情報を送受信しているユーザ装置３００がどの契約のユーザによって使用されている装置であるのかを特定する。これにより、情報管理装置１００ａは、ユーザ装置３００との間で、様々な情報を適正に送受信する。なお、図１６に示すスポンサーＮｏは、スポンサーＩＤの一種である。また、図１７に示すユーザＮｏは、ユーザＩＤの一種である。
【０１４１】
情報管理装置１００ａとして機能するサーバは、入力部１８０の入力手段（例えば、各種記憶媒体の読取／書込装置など）を介してプログラム媒体５００ａに格納された管理プログラム５０１ａを読み取って実行することによって、先願発明の情報管理装置１００と同様の機能手段を内部に構築する（図２参照）。なお、管理プログラム５０１ａは、先願発明の管理プログラム５０１に、情報管理部１６０の中に条件適合者抽出手段１６２とユーザページ作成手段１６４とポイント付与手段１６６とを構築する機能を付加したプログラムである。この実施例に係る情報管理装置１００ａは、先願発明の情報管理装置１００と異なり、情報管理部１６０ａの中に、条件適合者抽出手段１６２とユーザページ作成手段１６４とポイント付与手段１６６とが構築される（図１と図２参照）。
【０１４２】
図１と図２に示す条件適合者抽出手段１６２は、ユーザ情報登録部１３０に登録された登録ユーザの中からスポンサーによって指定された条件に適合するユーザを条件適合者として抽出する機能と、条件適合者をポイント付与予定者としてスポンサー提供情報に関連付けてスポンサー情報登録部１２０に登録する機能（図３参照）とを備える。
【０１４３】
図３は、スポンサー情報登録部１２０に登録された、この実施例のスポンサー情報の一例を示す図である。図３に示すように、この実施例のスポンサー情報は、先願発明のスポンサー情報（図１６参照）に、「ポイント付与予定者」欄を付加した構成となっている。なお、図３に示す例では、「ポイント付与予定者」欄に、「１５６８１ａ：２００Ｐ，２３４２１ｂ；１５５Ｐ，…」という情報が登録されている。これは、情報管理装置１００ａが「１５６８１ａ」というユーザＮｏのユーザと「２３４２１ｂ」というユーザＮｏのユーザらをポイント付与予定者として登録しており、さらに、「１５６８１ａ」というユーザＮｏのユーザに対して「２００Ｐ（ポイント）」付与する予定であり、「２３４２１ｂ」というユーザＮｏのユーザに対して「１５５Ｐ（ポイント）」付与する予定であることを示している。
【０１４４】
図１と図２に示すユーザページ作成手段１６４は、ユーザページ作成機能と、ユーザページ登録機能と、タイトル情報掲載機能とを有する。
【０１４５】
ユーザページ作成機能は、ユーザ情報登録部１３０に登録された個々の登録ユーザ毎に、ユーザ装置３００によって表示されるページを作成する（図４（Ａ）参照）。
【０１４６】
ユーザページ登録機能は、作成したページをユーザページとしてユーザ情報登録部１３０に登録する。
【０１４７】
タイトル情報掲載機能は、条件適合者抽出手段１６２によって抽出された条件適合者に送信可能なスポンサー提供情報のタイトル情報を条件適合者のユーザページに掲載する（図４（Ｂ）参照）。
【０１４８】
図４（Ａ）および（Ｂ）は、ユーザページの一例を示す図である。図４（Ａ）は、初期状態のユーザページ、すなわち、ユーザ登録がなされたときに作成されたユーザページ、の例を示しており、図４（Ｂ）は、ユーザ登録からしばらく経過した状態のユーザページ、すなわち、スポンサー提供情報のタイトル情報が掲載されたユーザページ、の例を示している。図４（Ａ）に示す例では、ユーザページは、「ポイントＮｏ」欄と「積算ポイント」欄とを有する構成となっている。図４（Ｂ）に示す例では、ユーザページは、「ポイントＮｏ」欄と「積算ポイント」欄とを有し、さらに、タイトル情報を掲載する欄とを有する構成となっている。欄の右隅に表示された三角形の矢印を押下することによって、表示がスクロールする。
【０１４９】
ユーザは、ユーザ装置３００の入力部３８０を操作して、情報管理装置１００ａにアクセスし、ユーザＮｏを利用してユーザページの送信の指令を行う。以下、情報管理装置１００ａにアクセスしているユーザを、アクセスユーザと称する。ユーザページの送信の指令に応答して、情報管理装置１００ａの情報管理部１６０ａは、ユーザ情報登録部１３０からアクセスユーザのユーザページを読み出し、これをアクセスユーザのユーザ装置３００に送信する。アクセスユーザのユーザ装置３００の情報処理部３６０は、情報管理装置１００ａからアクセスユーザのユーザページを受信すると、アクセスユーザのユーザページを記憶部３０５に記憶するとともに、出力部３９０のディスプレイに表示する。
【０１５０】
アクセスユーザは、出力部３９０のディスプレイに表示されたユーザページを見ながら、閲覧を希望するスポンサー提供情報のタイトル情報（具体的には、図４（Ｂ）に示すスポンサー提供情報の「タイトル」、または、スポンサー提供情報に対応付けられた「受信」キーなど）を押下して、閲覧を希望するスポンサー提供情報の送信を情報管理装置１００ａに要請する。これにより、アクセスユーザのユーザ装置３００は、アクセスユーザが閲覧を希望しているスポンサー提供情報のタイトル情報を情報管理装置１００ａに送信する。以下、このアクセスユーザを要請ユーザと称する。また、このとき、送信されたタイトル情報を、要請案件のタイトル情報と称する。また、要請案件のタイトル情報に対応するスポンサー提供情報を、要請案件のスポンサー提供情報と称する。また、要請案件のスポンサー提供情報の送信を代行業者に委託したスポンサーを、要請案件のスポンサーと称する。
【０１５１】
情報管理装置１００ａの情報管理部１６０ａは、要請ユーザのユーザ装置３００から要請案件のタイトル情報を受信すると、後述の第１の方法または第２の方法によって、要請案件のスポンサー提供情報を要請ユーザのユーザ装置３００に送信する。なお、第１の方法は、スポンサー提供情報が情報管理装置１００ａのスポンサー情報登録部１２０に登録されている場合の方法である。また、第２の方法は、スポンサー提供情報が情報管理装置１００ａのスポンサー情報登録部１２０に登録されていない場合の方法である。
【０１５２】
図１と図２に示すポイント付与手段１６６は、ポイント付与予定者判定機能と、ポイント付与機能とを有する。
【０１５３】
ポイント付与予定者判定機能は、ユーザページ作成手段１６４によって条件適合者のユーザページに掲載されたスポンサー提供情報のタイトル情報に基づいて、スポンサー提供情報を閲覧した閲覧ユーザが存在するか否かを判定する。閲覧ユーザが存在する場合に、閲覧ユーザとスポンサー情報登録部１２０に登録されたポイント付与予定者とを比較、すなわち、照合することによって、閲覧ユーザがポイント付与予定者か否かを判定する。
【０１５４】
ポイント付与機能は、閲覧ユーザがポイント付与予定者であると判定されたときに、予め定められたポイントを閲覧ユーザに付与する。
【０１５５】
上述した閲覧ユーザとポイント付与予定者との比較は、具体的には、閲覧ユーザのユーザＮｏと図３に示す「ポイント付与予定者」欄に登録されたユーザＮｏとの比較によって行われる。なお、上述の「予め定められたポイント」とは、「ポイント付与予定者」欄に登録された、閲覧ユーザのユーザＮｏに一致するユーザＮｏのユーザに対して付与する予定であったポイントを意味する。具体的には、「予め定められたポイント」とは、「１５６８１ａ」というユーザＮｏのユーザに対して付与する予定であった「２００Ｐ（ポイント）」や、「２３４２１ｂ」というユーザＮｏのユーザに対して付与する予定であった「１５５Ｐ（ポイント）」などである。例えば、ポイント付与手段１６６は、閲覧ユーザがユーザポイント付与予定者としてスポンサー情報登録部１２０に登録された「１５６８１ａ」というユーザＮｏのユーザであると判定されたときに、「２００ポイント」を閲覧ユーザに付与する。
【０１５６】
なお、「ポイント付与予定者」欄は、実施例２で説明するように、「ボーナスポイント付与予定者」欄に置き換えることも可能である。「ボーナスポイント付与予定者」とは、通常のポイント（すなわち、一提供毎の付与ポイント）に加え、さらに、ボーナスポイントをも付与する予定者を意味する。例えば、ポイント付与手段１６６は、閲覧ユーザがボーナスユーザポイント付与予定者としてスポンサー情報登録部１２０に登録された「１５６８１ａ」というユーザＮｏのユーザであると判定されたときに、通常のポイント、具体的には、当該閲覧ユーザの一提供毎の付与ポイントと、ボーナスポイントとの合計ポイント（ただし、ボーナスポイントのみでもよい）を当該閲覧ユーザに付与する。
【０１５７】
上述したように、このような情報管理装置１００ａは、ユーザページ作成手段１６４によって、個々の登録ユーザ毎にユーザページを作成するとともに、条件適合者抽出手段１６２によって、条件適合者を抽出して、条件適合者のユーザページにスポンサー提供情報のタイトル情報を掲載する。この後、情報管理装置１００ａは、ユーザページに掲載されたタイトル情報に基づいて、スポンサー提供情報を閲覧した閲覧ユーザが存在する場合に、ポイント付与手段１６６によって、閲覧ユーザがポイント付与予定者であるか否かを判定し、閲覧ユーザがポイント付与予定者であると判定されたときに、予め定められたポイントを閲覧ユーザに付与する。
【０１５８】
＜情報管理装置の動作について＞
以下に、図５−１〜図５−２を参照し、情報管理装置の動作を説明する。なお、図５−１〜図５−２は、それぞれ情報管理装置の動作例を示すフローチャートである。図５−１は、個々の登録ユーザ毎にユーザページを作成し、ユーザページにタイトル情報を掲載する場合の、情報管理装置１００ａの動作例を示している。また、図５−２は、ユーザがユーザページに掲載されたタイトル情報に基づいて、スポンサー提供情報を閲覧する場合の、情報管理装置１００ａの動作例を示している。
【０１５９】
図５−１に示すように、情報管理装置１００ａの情報管理部１６０ａは、Ｓ１０５において、新規ユーザのユーザ情報をユーザ情報登録部１３０に登録する。これにより、情報管理部１６０ａは、新規ユーザのユーザ登録を行う。なお、「新規ユーザ」とは、新規にユーザ登録するユーザを意味する。
【０１６０】
このＳ１０５における情報管理部１６０ａの具体的な動作は、以下の通りである。
【０１６１】
すなわち、情報管理装置１００ａの情報管理部１６０ａは、運用を開始すると、スポンサー装置２００からのアクセスおよびユーザ装置３００からのアクセスを、常時、監視する。そして、情報管理部１６０ａは、ユーザ装置３００からのアクセスを検出すると、通信部１１０を介して、そのユーザ装置３００からのアクセスに対する応答として、様々な情報（例えば、ユーザページやスポンサー提供情報、その他）を、ユーザ装置３００に送信する。情報管理部１６０ａは、ユーザが新規のユーザ登録を行う場合に、ユーザ装置３００からのアクセスを検出し、さらに、そのユーザ装置３００からユーザ登録を実行させるための指令を受信する。これに応答して、情報管理部１６０ａは、ユーザ情報登録部１３０から新規ユーザ登録用情報を読み出し、通信部１１０を介して、その新規ユーザ登録用情報を、ユーザ装置３００に送信する。なお、「新規ユーザ登録用情報」とは、ユーザ装置３００の出力部３９０のディスプレイにユーザ登録用の画面を表示させるための情報を意味する。
【０１６２】
ユーザ装置３００の情報処理部３６０は、通信部３１０を介して、情報管理装置１００ａから新規ユーザ登録用情報を受信すると、新規ユーザ登録用情報に基づいてユーザ登録用画面を作成し、そのユーザ登録用画面を出力部３９０のディスプレイに表示する。新規ユーザとなるユーザは、ディスプレイに表示されたユーザ登録用画面を見て、画面の中の任意の項目に自身のユーザ情報を入力して、そのユーザ情報を情報管理装置１００ａに送信するための操作を行う。これに応答して、ユーザ装置３００の情報処理部３６０は、新規ユーザのユーザ情報を情報管理装置１００ａに送信する。
【０１６３】
情報管理装置１００ａの情報管理部１６０ａは、通信部１１０を介して、ユーザ装置３００から新規ユーザのユーザ情報を受信すると、新規ユーザ用のユーザＮｏを採取する。そして、情報管理部１６０ａは、採取した新規ユーザ用のユーザＮｏと受信した新規ユーザのユーザ情報とを対応付けて、これらをユーザ情報登録部１３０に登録する。
【０１６４】
このようにして、情報管理部１６０ａは、Ｓ１０５において、新規ユーザのユーザ情報をユーザ情報登録部１３０に登録する。
【０１６５】
次に、情報管理部１６０ａは、新規ユーザのユーザ情報をユーザ情報登録部１３０に登録すると、Ｓ１１０において、新規ユーザのユーザページ（図４（Ａ）参照）を作成する。このとき作成されるユーザページは、例えば、図４（Ａ）に示すように、「ユーザＮｏ」や「積算ポイント」などの基本的な情報を表示する欄と、スポンサー提供情報のタイトル情報を掲載する予定の欄とからなる。情報管理部１６０ａは、新規ユーザのユーザページを作成すると、新規ユーザのユーザＮｏと新規ユーザ用のユーザページを構成する情報とを対応付けて、これらをユーザ情報登録部１３０に登録する。これにより、情報管理部１６０ａは、各ユーザのユーザＮｏに基づいて、ユーザ情報登録部１３０から各ユーザのユーザページを、常時、読み出すことができるようになる。
【０１６６】
次に、情報管理部１６０ａは、Ｓ１１５において、新規スポンサーのスポンサー情報をスポンサー情報登録部１２０に登録する。これにより、情報管理部１６０ａは、新規スポンサーのスポンサー登録を行う。なお、「新規スポンサー」とは、新規にスポンサー登録するスポンサーを意味している。このスポンサーの中には、初めてスポンサー登録するスポンサーに加え、既に代行業者と契約しているスポンサーであって、かつ、新たな案件の代行業務を委託するスポンサーが含まれる。
【０１６７】
このＳ１１５における情報管理部１６０ａの具体的な動作は、以下の通りである。
【０１６８】
すなわち、情報管理装置１００ａの情報管理部１６０ａは、上述の通り、スポンサー装置２００からのアクセスおよびユーザ装置３００からのアクセスを、常時、監視している。情報管理部１６０ａは、スポンサー装置２００からのアクセスを検出すると、通信部１１０を介して、そのスポンサー装置２００からのアクセスに対する応答として、様々な情報（例えば、ユーザへのスポンサー提供情報の送信の代行業務に関する情報、その他）を、スポンサー装置２００に送信する。情報管理部１６０ａは、スポンサーが新規のスポンサー登録を行う場合に、スポンサー装置２００からのアクセスを検出し、さらに、そのスポンサー装置２００からスポンサー登録を実行させるための指令を受信する。これに応答して、情報管理部１６０ａは、スポンサー情報登録部１２０から新規スポンサー登録用情報を読み出し、通信部１１０を介して、その新規スポンサー登録用情報を、スポンサー装置２００に送信する。なお、「新規スポンサー登録用情報」とは、スポンサー装置２００の出力部２９０のディスプレイにスポンサー登録用画面を表示させるための情報を意味する。
【０１６９】
スポンサー装置２００の情報処理部２６０は、通信部２１０を介して、情報管理装置１００ａから新規スポンサー登録用情報を受信すると、新規スポンサー登録用情報に基づいてスポンサー登録用画面を作成し、そのスポンサー登録用画面を出力部２９０のディスプレイに表示する。新規スポンサーとなるスポンサーは、ディスプレイに表示されたユーザ登録用画面を見て、画面の中の任意の項目に自身のスポンサー情報を入力して、そのスポンサー情報を情報管理装置１００ａに送信するための操作を行う。これに応答して、情報処理部２６０は、新規スポンサーのスポンサー情報を情報管理装置１００ａに送信する。なお、この新規スポンサーのスポンサー情報の中には、スポンサーから代行業者に支払われる費用に関する金額情報（すなわち、スポンサー費用）が含まれている。
【０１７０】
情報管理装置１００ａの情報管理部１６０ａは、通信部１１０を介して、スポンサー装置２００から新規スポンサーのスポンサー情報を受信すると、新規スポンサー用のスポンサーＮｏを採取する。そして、情報管理部１６０ａは、採取した新規スポンサー用のスポンサーＮｏと受信した新規スポンサーのスポンサー情報とを対応付けて、これらをスポンサー情報登録部１２０に登録する。
【０１７１】
このようにして、情報管理部１６０ａは、Ｓ１１５において、新規スポンサーのスポンサー情報をユーザ情報登録部１３０に登録する。
【０１７２】
なお、このＳ１１５の工程と次のＳ１２０の工程は、Ｓ１０５の工程（すなわち、ユーザ情報登録の工程）の前に行われる場合もある。
【０１７３】
次に、情報管理部１６０ａは、新規スポンサーのスポンサー情報をスポンサー情報登録部１２０に登録すると、Ｓ１２０において、新規スポンサーのスポンサー提供情報の提供回数（または提供量）の上限値を設定する。なお、「スポンサー提供情報の提供回数」とは、ユーザへのスポンサー提供情報の送信が可能な回数を意味する。また、「スポンサー提供情報の提供量」とは、ユーザへのスポンサー提供情報の送信が可能な情報量を意味する。
【０１７４】
このＳ１２０における情報管理部１６０ａの具体的な動作は、以下の通りである。
【０１７５】
すなわち、情報管理部１６０ａは、スポンサー情報登録部１２０から新規スポンサーのスポンサー情報を読み出し、新規スポンサーのスポンサー情報の中に含まれているスポンサー費用に基づいて、スポンサー提供情報の提供回数（または提供量）の上限値を算出する。情報管理部１６０ａは、スポンサー提供情報の提供回数（または提供量）の上限値を算出すると、新規スポンサーのスポンサーＮｏとスポンサー提供情報の提供回数（または提供量）の上限値に関する情報とを対応付けて、これらをスポンサー情報登録部１２０に登録する。これにより、情報管理部１６０ａは、個々の契約案件のスポンサーＮｏに基づいて、スポンサー情報登録部１２０から個々の契約案件のスポンサー提供情報の提供回数（または提供量）の上限値を、常時、読み出すことができるようになる。
【０１７６】
このようにして、情報管理部１６０ａは、Ｓ１２０において、新規スポンサーのスポンサー提供情報の提供回数（または提供量）の上限値を設定する。
【０１７７】
次に、情報管理部１６０ａは、新規スポンサーのスポンサー提供情報の提供回数（または提供量）の上限値を設定すると、Ｓ１２５において、各契約案件の条件適合者を抽出する。なお、「条件適合者」とは、スポンサーによって指定された条件（例えば、図３に示す「設定条件１」〜「設定条件１０」）に一致するユーザを意味する。
【０１７８】
このＳ１２５における情報管理部１６０ａの具体的な動作は、以下の通りである。
【０１７９】
すなわち、情報管理部１６０ａは、契約案件毎に、予め定められたタイミングで、スポンサー情報登録部１２０からスポンサー情報を読み出すとともに、ユーザ情報登録部１３０から各ユーザＮｏのユーザ情報を読み出す。そして、情報管理部１６０ａは、読み出した各ユーザＮｏのユーザ情報の中から、読み出した契約案件のスポンサー情報の中に含まれている「設定条件」（図３に示す例では、「設定条件１」〜「設定条件１０」）に一致する条件適合者を抽出する。情報管理部１６０ａは、各ユーザＮｏのユーザ情報の中から、読み出した契約案件の条件適合者を抽出すると、契約案件のスポンサー情報と抽出した条件適合者のユーザＮｏとを対応付けて、これらをスポンサー情報登録部１２０に登録する（図３参照）。この契約案件のスポンサー情報に対応付けて登録されたユーザＮｏの条件適合者が、ポイント付与予定者となる。なお、図３に示す例では、「ポイント付与予定者」に登録される情報として、条件適合者のユーザＮｏと付与予定のポイントとが対応付けられて、スポンサー情報登録部１２０に登録されている。これにより、情報管理部１６０ａは、ポイント付与予定者がスポンサー提供情報を閲覧した場合に、ポイント付与予定者に予め定められたポイント（すなわち、付与予定のポイント）を付与することができる。
【０１８０】
このようにして、情報管理部１６０ａは、Ｓ１２５において、各契約案件の条件適合者を抽出する。
【０１８１】
次に、情報管理部１６０ａは、各契約案件の条件適合者を抽出すると、Ｓ１３０において、条件適合者のユーザページを更新する。すなわち、情報管理部１６０ａは、条件適合者のユーザページに、スポンサー提供情報のタイトル情報（図４（Ｂ）参照）を掲載する。
【０１８２】
このＳ１３０における情報管理部１６０ａの具体的な動作は、以下の通りである。
【０１８３】
すなわち、情報管理部１６０ａは、各契約案件の条件適合者を抽出すると、ユーザ情報登録部１３０から条件適合者のユーザ情報を読み出し、読み出した条件適合者のユーザ情報の中に含まれているユーザページに、契約案件のスポンサー提供情報のタイトル情報を掲載する。このとき掲載されるタイトル情報は、例えば、図４（Ｂ）に示すように、「カテゴリー」や「会社名」、「タイトル」、「付与予定ポイント」などの情報や、「受信」キーなどからなる。情報管理部１６０ａは、条件適合者のユーザページにタイトル情報を掲載すると、そのユーザページを条件適合者のユーザ情報の一情報として、ユーザ情報登録部１３０に登録する。これにより、情報管理部１６０ａは、各ユーザのユーザＮｏに基づいて、ユーザ情報登録部１３０から、ユーザ毎に異なるタイトル情報が掲載された、各ユーザのユーザページを、常時、読み出すことができるようになる。
【０１８４】
このようにして、情報管理部１６０ａは、Ｓ１３０において、条件適合者のユーザページを更新する。
【０１８５】
次に、情報管理部１６０ａは、Ｓ１３５において、条件適合者のユーザページを送信すると、スポンサー情報を更新する。すなわち、情報管理部１６０ａは、当該条件適合者をポイント付与予定者として、当該ポイント付与予定者に関する情報（ここでは、ユーザＮｏと付与予定ポイントとを組み合わせた情報）をスポンサー情報登録部１２０に登録する（図３の「ポイント付与予定者」欄参照）。
【０１８６】
以上により、情報管理装置１００ａの情報管理部１６０ａは、個々の登録ユーザ毎にユーザページを作成し、ユーザページにタイトル情報を掲載する。これにより、個々のユーザは、タイトル情報を用いて、閲覧を希望するスポンサー提供情報を受信することができる。
【０１８７】
なお、Ｓ１３５の後の情報管理装置１００ａの動作は、以下の通りである。
【０１８８】
図５−２に示すように、情報管理装置１００ａの情報管理部１６０ａは、上述の通り、スポンサー装置２００からのアクセスおよびユーザ装置３００からのアクセスを、常時、監視しており、Ｓ２０５において、あるユーザのユーザ装置３００からのアクセスがある場合に、これを検出する。
【０１８９】
次に、情報管理部１６０ａは、ユーザ装置３００からのアクセスを検出すると、Ｓ２１０において、ユーザ装置３００からアクセスユーザのユーザＮｏを受信し、受信したアクセスユーザのユーザＮｏに基づいて、ユーザ情報登録部１３０からアクセスユーザのユーザ情報を読み出す。これにより、情報管理部１６０ａは、アクセスユーザを識別する。
【０１９０】
次に、情報管理部１６０ａは、アクセスユーザを識別すると、Ｓ２１５において、アクセスユーザのユーザ情報に含まれているユーザページに関する情報を、アクセスユーザのユーザ装置３００に送信する。
【０１９１】
アクセスユーザのユーザ装置３００の情報処理部３６０は、情報管理装置１００ａからアクセスユーザのユーザページに関する情報を受信すると、アクセスユーザのユーザページを作成して、作成したアクセスユーザのユーザページを出力部３９０のディスプレイに表示する。アクセスユーザは、ディスプレイに表示されたユーザページを見て、閲覧を希望するスポンサー提供情報がある場合に、そのスポンサー提供情報のタイトル情報を適宜押下して、閲覧を希望するスポンサー提供情報の送信を情報管理装置１００ａに要請する。これにより、スポンサー提供情報の送信を情報管理装置１００ａに要請したアクセスユーザ、すなわち、要請ユーザ、のユーザ装置３００の情報処理部３６０は、要請ユーザが閲覧を希望しているスポンサー提供情報のタイトル情報を情報管理装置１００ａに送信する。
【０１９２】
これに応答して、情報管理装置１００ａの情報管理部１６０ａは、Ｓ２２０において、通信部１１０を介して、要請ユーザのユーザ装置３００からタイトル情報を受信する。
【０１９３】
次に、情報管理部１６０ａは、要請ユーザのユーザ装置３００からタイトル情報を受信すると、Ｓ２２５において、受信したタイトル情報に対応するスポンサー提供情報を、要請ユーザのユーザ装置３００に送信する。
【０１９４】
このＳ２２５における情報管理部１６０ａの具体的な動作は、以下の通りである。
【０１９５】
情報管理装置１００ａの情報管理部１６０ａは、要請ユーザのユーザ装置３００から要請案件のタイトル情報を受信すると、以下の第１の方法または第２の方法によって、受信した要請案件のスポンサー提供情報を、要請ユーザのユーザ装置３００に送信する。
【０１９６】
第１の方法は、スポンサー提供情報が情報管理装置１００ａのスポンサー情報登録部１２０に登録されている場合の方法である。
【０１９７】
第１の方法では、情報管理装置１００ａの情報管理部１６０ａは、要請ユーザのユーザ装置３００から要請案件のタイトル情報を受信すると、まず、受信した要請案件のタイトル情報を要請ユーザのユーザＮｏに対応付けて記憶部１０５に一時記憶する。次に、情報管理部１６０ａは、受信した要請案件のタイトル情報を、要請案件のスポンサーのスポンサー装置２００に送信する。
【０１９８】
要請案件のスポンサー装置２００の情報処理部２６０は、情報管理装置１００ａから要請案件のタイトル情報を受信すると、まず、受信した要請案件のタイトル情報を記憶部２０５に一時記憶する。次に、情報処理部２６０は、記憶部２０５から、受信した要請案件のタイトル情報に対応するスポンサー提供情報（図１３（Ａ）および（Ｂ）参照）を読み出し、これを、要請案件のスポンサー提供情報として、情報管理装置１００ａに送信する。これに応答して、情報管理装置１００ａは、要請案件のスポンサーのスポンサー装置２００から要請案件のスポンサー提供情報を受信する。
【０１９９】
情報管理装置１００ａの情報管理部１６０ａは、要請案件のスポンサーのスポンサー装置２００から要請案件のスポンサー提供情報を受信すると、まず、受信した要請案件のスポンサー提供情報を記憶部１０５に一時記憶する。次に、情報管理部１６０ａは、記憶部１０５から、受信した要請案件のスポンサー提供情報に対応するタイトル情報を読み出し、読み出したタイトル情報に対応付けられた要請ユーザのユーザＮｏを特定する。次に、情報管理部１６０ａは、ユーザ情報登録部１３０から、特定した要請ユーザのユーザＮｏに対応するユーザ情報を読み出し、このユーザ情報の中に含まれている要請ユーザのメールアドレスを特定する（図１７参照）。次に、情報管理部１６０ａは、記憶部１０５から要請案件のスポンサー提供情報を読み出し、読み出した要請案件のスポンサー提供情報を、特定した要請ユーザのメールアドレスに送信する。これにより、情報管理部１６０ａは、要請案件のスポンサー提供情報を、要請ユーザのユーザ装置３００に送信する。
【０２００】
第２の方法は、スポンサー提供情報が情報管理装置１００ａのスポンサー情報登録部１２０に登録されていない場合の方法である。
【０２０１】
第２の方法では、情報管理装置１００ａの情報管理部１６０ａは、要請ユーザのユーザ装置３００から要請案件のタイトル情報を受信すると、まず、受信した要請案件のタイトル情報を要請ユーザのユーザＮｏに対応付けて記憶部１０５に一時記憶する。次に、情報管理部１６０ａは、ユーザ情報登録部１３０から、要請ユーザのユーザＮｏに対応するユーザ情報を読み出し、このユーザ情報の中に含まれている要請ユーザのメールアドレスを特定する（図１７参照）。次に、情報管理部１６０ａは、スポンサー情報登録部１２０から、受信した要請案件のタイトル情報に対応するスポンサー提供情報を読み出し、読み出したスポンサー提供情報を、要請案件のスポンサー提供情報として、特定した要請ユーザのメールアドレスに送信する。これにより、情報管理部１６０ａは、要請案件のスポンサー提供情報を、要請ユーザのユーザ装置３００に送信する。
【０２０２】
このようにして、情報管理部１６０ａは、要請ユーザのユーザ装置３００から要請案件のタイトル情報を受信すると、受信した要請案件のスポンサー提供情報を、要請ユーザのユーザ装置３００に送信する。
【０２０３】
これに応答して、要請ユーザのユーザ装置３００の情報処理部３６０は、情報管理装置１００ａから要請案件のスポンサー提供情報を受信する。そして、情報処理部３６０は、受信した要請案件のスポンサー提供情報を出力部３９０のディスプレイに表示する。要請ユーザは、ディスプレイに表示された要請案件のスポンサー提供情報を見て、閲覧確認情報（すなわち、広告形式のスポンサー提供情報に含まれている返信用のキーワードや、アンケート形式のスポンサー提供情報に含まれているアンケートの回答など）を、情報管理装置１００ａに送信する。以下、この要請ユーザを閲覧ユーザと称する。
【０２０４】
これに応答して、情報管理装置１００ａの情報管理部１６０ａは、Ｓ２３０において、閲覧ユーザのユーザ装置３００から閲覧確認情報を受信する。
【０２０５】
次に、情報管理部１６０ａは、閲覧ユーザのユーザ装置３００から閲覧確認情報を受信すると、Ｓ２３５において、受信した閲覧確認情報に含まれている閲覧ユーザのユーザＮｏに基づいて、ユーザ情報登録部１３０から閲覧ユーザのユーザ情報を読み出す。これにより、情報管理部１６０ａは、閲覧ユーザを識別する。
【０２０６】
次に、情報管理部１６０ａは、閲覧ユーザを識別すると、Ｓ２４０において、閲覧ユーザがポイント付与予定者であるか否かを判定する。この判定は、情報管理部１６０ａが、スポンサー情報登録部１２０から、閲覧確認情報に対応するスポンサー提供情報の送信を委託したスポンサーのスポンサー情報を読み出して、読み出したスポンサー情報の「ポイント付与予定者」欄に登録されたユーザＮｏと閲覧ユーザのユーザＮｏとを比較することによって行われる。このとき、「ポイント付与予定者」欄に登録されたユーザＮｏの中に、閲覧ユーザのユーザＮｏと一致するユーザＮｏがある場合に、情報管理部１６０ａは、閲覧ユーザがポイント付与予定者であると判定する。この場合、工程は、Ｓ２４５に進む。他方、「ポイント付与予定者」欄に登録されたユーザＮｏの中に、閲覧ユーザのユーザＮｏと一致するユーザＮｏがない場合に、情報管理部１６０ａは、閲覧ユーザがポイント付与予定者でないと判定する。この場合、工程は、Ｓ２５０に進む。
【０２０７】
Ｓ２４０で、閲覧ユーザがポイント付与予定者であると判定された場合に、情報管理部１６０ａは、Ｓ２４５において、当該閲覧ユーザに予め定められたポイントを付与する。
【０２０８】
他方、Ｓ２４０で、閲覧ユーザがポイント付与予定者でないと判定された場合に、情報管理部１６０ａは、Ｓ２５０において、当該閲覧ユーザにポイントを付与しない。
【０２０９】
Ｓ２４５またはＳ２５０の後、情報管理装置１００ａの分配費用算出部１４０は、定期的に、予め定められたタイミングで、ユーザ情報登録部１３０から各登録ユーザのユーザ情報を読み出す。そして、分配費用算出部１４０は、Ｓ２５５において、読み出したユーザ情報に含まれている「未処理積算ポイント」欄（図１７参照）に登録された情報に基づいて、各登録ユーザの未処理積算分配費用を算出し、算出した各登録ユーザの未処理積算分配費用を、ユーザ情報の一情報として、ユーザ情報登録部１３０に登録する（図１７参照）。
【０２１０】
次に、情報管理装置１００ａの支払い処理部１５０は、定期的に、予め定められたタイミングで、ユーザ情報登録部１３０から各登録ユーザのユーザ情報を読み出す。そして、支払い処理部１５０は、Ｓ２６０において、読み出した各登録ユーザのユーザ情報に含まれている、「未処理積算分配費用」欄や「支払い方法」欄、「振込先」欄などに登録されている情報に基づいて、各登録ユーザへの分配費用の支払い処理を行う。具体的には、支払い処理部１５０は、ある登録ユーザのユーザ情報の「支払い方法」欄に「ダイレクト」と登録されている場合に、ユーザ情報の「未処理積算分配費用」欄に登録されている金額の分配費用を、電子マネーとして、当該登録ユーザのユーザ装置３００に送信する。または、支払い処理部１５０は、ある登録ユーザのユーザ情報の「支払い方法」欄に「口座振込」と登録されている場合に、ユーザ情報の「未処理積算分配費用」欄に登録されている金額の分配費用を、ユーザ情報の「振込先」欄に登録されている口座に振り込む指令を、図示しない金融機関のホストコンピュータに送信する。これに応答して、金融機関のホストコンピュータは、各登録ユーザの未処理積算分配費用を、ユーザによって指定された振込先の口座に振り込む。
【０２１１】
次に、情報管理部１６０ａは、契約案件毎に、Ｓ２６５において、スポンサー提供情報の提供回数が上限値を超過するか否かを判定する。この判定は、情報管理部１６０ａが、スポンサー情報登録部１２０から、各契約案件のスポンサー情報を読み出して、読み出したスポンサー情報の「提供回数（予測値）」欄に登録された回数の情報と「通信履歴」欄に登録された通信履歴の回数の情報とを比較することによって行われる。なお、この判定は、「分配費用の上限値（総額）」欄に登録された金額の情報と「分配費用の合計」欄に登録された金額の情報との比較によって行うことも可能である。
【０２１２】
Ｓ２６５で、スポンサー提供情報の提供回数が上限値を超過すると判定された場合に、工程は、Ｓ２７０に進む。他方、スポンサー提供情報の提供回数が上限値を超過しないと判定された場合に、工程は、Ｓ２０５に戻る。
【０２１３】
Ｓ２６５で、スポンサー提供情報の提供回数が上限値を超過すると判定された場合に、情報管理部１６０ａは、Ｓ２７０において、当該契約案件に関するレポート（図１４参照）を作成し、作成したレポートを当該契約案件のスポンサー装置２００に送信する。スポンサーは、情報管理装置１００ａからレポートを受信すると、スポンサー提供情報の送信を中止するか否かを判断する。スポンサー提供情報の送信を中止する場合に、スポンサーは、スポンサー装置２００を操作して、スポンサー提供情報の送信を中止する指令を情報管理装置１００ａに送信する。スポンサー提供情報の送信を中止しない場合に、スポンサーは、スポンサー装置２００を操作して、スポンサー提供情報の送信を継続する指令を情報管理装置１００ａに送信する。
【０２１４】
情報管理部１６０ａは、スポンサー装置２００からスポンサー提供情報の送信を中止する指令を受信した場合に、Ｓ２７５において、当該契約案件のスポンサー提供情報の送信を中止する。なお、送信の中止は、情報管理部１６０ａが、送信停止フラグを、スポンサー情報登録部１２０に登録された当該契約案件のスポンサー情報の「送信停止」欄に登録することによって行われる。
【０２１５】
以上によって、ユーザがユーザページに掲載されたタイトル情報に基づいて、スポンサー提供情報を閲覧する場合の、情報管理装置１００ａの動作が終了する。
【０２１６】
以上の通り、情報管理装置１００ａは、優良ユーザ（すなわち、スポンサーの商品を購入する可能性の高いユーザ）となる可能性の高い条件適合者に集中して、ポイントを付与することができる。これにより、優良ユーザは、高いポイントを得ることができ、その結果、高い分配費用を得ることができる。そのため、優良ユーザは、スポンサー提供情報の閲覧機会が増加するように、行動する。具体的には、優良ユーザは、できるだけ多くのタイトル情報が自身のユーザページに掲載されるように、詳細なユーザ情報をユーザ情報登録部１３０に登録するようになる。また、優良ユーザは、積極的に、自身のユーザページを閲覧して、スポンサー提供情報を受信するようになる。したがって、情報管理装置１００ａは、スポンサー提供情報の閲覧機会が増加するように、優良ユーザに積極的に行動させることができる。そのため、情報管理装置１００ａは、優良ユーザに集中的にスポンサー提供情報を送信することができる。
【０２１７】
[実施例２]
実施例１は、閲覧ユーザが存在する場合に、その閲覧ユーザに予め定められた「一提供毎の付与ポイント」（すなわち、通常のポイント）を、閲覧ユーザに付与する。
【０２１８】
これに対し、実施例２は、閲覧ユーザが存在する場合に、通常のポイント（すなわち、一提供毎の付与ポイント）に加え、さらに、ボーナスポイントをも、閲覧ユーザに付与する。
【０２１９】
実施例２では、情報管理装置１００ａの構成は実施例１と同じであるが、情報管理装置１００ａの動作が実施例１と異なる。
【０２２０】
以下に、図６−１〜図６−２を参照し、実施例２の情報管理装置の動作を説明する。なお、図６−１〜図６−２は、それぞれ情報管理装置の動作例を示すフローチャートである。図６−１は、図５−１と同様に、個々の登録ユーザ毎にユーザページを作成し、ユーザページにタイトル情報を掲載する場合の、情報管理装置１００ａの動作例を示している。また、図６−２は、図５−２と同様に、ユーザがユーザページに掲載されたタイトル情報に基づいて、スポンサー提供情報を閲覧する場合の、情報管理装置１００ａの動作例を示している。
【０２２１】
図６−１に示すように、実施例２は、実施例１のＳ１３５の工程（図５−１参照）の代わりに、Ｓ１３６の工程を行う点で、実施例１と相違する。
【０２２２】
すなわち、情報管理装置１００ａは、実施例１のＳ１３５の代わりに、Ｓ１３６において、ボーナスポイント付与予定者情報をスポンサー情報登録部１２０に登録する。
【０２２３】
また、図６−２に示すように、実施例２は、実施例１のＳ２４０とＳ２４５の工程（図５−１参照）の代わりに、Ｓ２４１とＳ２４６の工程を行う点で、実施例１と相違する。
【０２２４】
すなわち、情報管理装置１００ａは、実施例１のＳ２４０の代わりに、Ｓ２４１において、当該閲覧ユーザがボーナスポイント付与予定者か否かを判定する。また、情報管理装置１００ａは、実施例１のＳ２４５の代わりに、Ｓ２４６において、通常のポイントとボーナスポイントの合計ポイントを閲覧ユーザに付与する。
【０２２５】
なお、「ボーナスポイント」とは、閲覧ユーザが様々な付与条件を満たす場合に、特典として閲覧ユーザに付与されるポイントである。付与条件としては、例えば、「過去に商品購入歴あり」や「高額所得者」、「ゴールドカード所持」、その他を設定することができる（図７参照）。この付与条件は、スポンサーまたは代行業者によって適宜定められる。なお、図７は、ポイントテーブルの一例を示す図である。この実施例では、付与条件は、スポンサーまたは代行業者によって、ポイントテーブルの形式で設定されている。なお、このポイントテーブルは、スポンサー情報登録部１２０に登録される。このポイントテーブルは、例えば、情報管理部１６０ａによって、以下のようにして用いられる。
【０２２６】
すなわち、情報管理部１６０ａ（具体的には、ユーザページ作成手段１６４）は、例えば、ある案件のスポンサー提供情報のタイトル情報を条件適合者のユーザページに掲載する場合に、ユーザ情報登録部１３０から当該案件の条件適合者のユーザ情報を読み出すとともに、スポンサー情報登録部１２０から当該案件のポイントテーブルを読み出す。次に、ユーザページ作成手段１６４は、個々の条件適合者毎に、条件適合者のユーザ情報の中から、ポイントテーブルに設定された付与条件に一致する項目を抽出する。そして、ユーザページ作成手段１６４は、個々の条件適合者毎に、抽出された項目に応じて、ポイントテーブルに設定されたポイントの積算値を算出する。このポイントの積算値が、各条件適合者のボーナスポイントとなる。ユーザページ作成手段１６４は、このボーナスポイントと条件適合者のユーザＮｏとを対応付けた情報を、ボーナスポイント付与予定者の情報として、スポンサー情報登録部１２０に登録する（図３の「ボーナスポイント付与予定者」欄参照）。そして、ユーザページ作成手段１６４は、当該案件のスポンサー提供情報のタイトル情報を条件適合者のユーザページに掲載する。
【０２２７】
ここで、ユーザページ作成手段１６４が当該案件のスポンサー提供情報のタイトル情報を条件適合者のユーザページに掲載した後、そのタイトル情報に基づいて、スポンサー提供情報を閲覧した閲覧ユーザが現れたとする。
【０２２８】
この場合に、情報管理部１６０ａ（具体的には、ポイント付与手段１６６）は、その閲覧ユーザのユーザ装置３００から、当該閲覧ユーザのユーザＮｏと、当該閲覧ユーザが閲覧した案件（以下、閲覧案件と称する）のスポンサー提供情報に対する閲覧確認情報とを取得して、取得した当該閲覧ユーザのユーザＮｏと閲覧確認情報とを関連付けてユーザ情報登録部１３０に格納する。そして、ポイント付与手段１６６は、取得した閲覧確認情報に基づいて、スポンサー提供情報部１２０から、閲覧案件のスポンサー提供情報の送信を委託したスポンサーのスポンサー情報を読み出す。このスポンサー情報の中には、上述の通り、ボーナスポイントと条件適合者のユーザＮｏとを対応付けた情報が、ボーナスポイント付与予定者の情報として、登録されている（図３の「ボーナスポイント付与予定者」欄参照）。ポイント付与手段１６６は、読み出した閲覧案件のスポンサー情報の中から、ボーナスポイント付与予定者のユーザＮｏとボーナスポイントを抽出する。次に、ポイント付与手段１６６は、ユーザ情報登録部１３０から閲覧ユーザのユーザＮｏと閲覧確認情報とを読み出して、閲覧案件のスポンサー情報の中から抽出したボーナスポイント付与予定者のユーザＮｏと閲覧ユーザのユーザＮｏとを比較する。ポイント付与手段１６６は、ボーナスポイント付与予定者のユーザＮｏの中に閲覧ユーザのユーザＮｏと一致するユーザＮｏがある場合に、閲覧ユーザがボーナスポイント付与予定者であると判定する。
【０２２９】
閲覧ユーザがボーナスポイント付与予定者であると判定された場合に、ポイント付与手段１６６は、ユーザ情報登録部１３０から読み出した閲覧確認情報がポイント付与条件に一致するか否かを判定する。なお、ポイント付与条件は、例えば、広告形式のスポンサー提供情報に含まれているキーワードや、アンケート形式のスポンサー提供情報に含まれているアンケートの項目数などである（図１３（Ａ）と（Ｂ）参照）。ポイント付与条件は、スポンサー提供情報毎に、スポンサーまたは代行業者によって適宜設定される。このポイント付与条件は、各スポンサー提供情報に関連付けられて、スポンサー情報登録部１２０に予め格納される。ポイント付与手段１６６は、スポンサー情報登録部１２０からポイント付与条件を読み出して、このポイント付与条件と閲覧確認情報とを比較する。これにより、ポイント付与手段１６６は、閲覧確認情報がポイント付与条件に一致するか否かを判定する。
【０２３０】
閲覧確認情報がポイント付与条件に一致すると判定された場合に、ポイント付与手段１６６は、通常のポイント（すなわち、当該閲覧ユーザの一提供毎の付与ポイント）とボーナスポイントの合計ポイントを当該閲覧ユーザに付与する。
【０２３１】
以上の通り、実施例２では、情報管理装置１００ａは、閲覧ユーザがスポンサーまたは代行業者によって設定された付与条件を満たす場合に、閲覧ユーザにボーナスポイントを含む予め定められたポイント、具体的には、通常のポイントとボーナスポイントとの合計ポイント（ただし、運用によっては、ボーナスポイントのみにしてもよい）を付与することができる。これにより、優良ユーザは、実施例１よりも、さらに、高いポイントを得ることができ、その結果、高い分配費用を得ることができる。したがって、情報管理装置１００ａは、実施例１よりも、さらに、スポンサー提供情報の閲覧機会が増加するように、優良ユーザに積極的に行動させることができる。そのため、情報管理装置１００ａは、実施例１よりも、さらに、優良ユーザに集中してスポンサー提供情報を送信することができる。
【０２３２】
なお、ここでは、条件適合者のボーナスポイントを設定する場合を例にして、ポイントテーブルの利用例を説明している。しかしながら、ポイントテーブルは、条件適合者のボーナスポイントを設定する場合に限らず、通常のポイント（すなわち、一提供毎の付与ポイント）を設定する場合にも、用いることができる。
【０２３３】
[実施例３]
実施例３は、スポンサー提供情報だけでは通知できない情報を、ファイルとして、スポンサー提供情報に添付するサービス（以下、ファイル添付サービスと称する）を実施するためのものである。実施例３では、情報管理装置１００ａは、ファイルを添付したスポンサー提供情報を条件抽出者のユーザ装置３００に送信し、条件抽出者であるユーザがそのファイルを閲覧したときに、そのユーザにボーナスポイントを付与する。なお、スポンサー提供情報に添付するファイルは、文書情報や、静止画情報、動画情報、音声情報、その他からなる。このファイルは、各ユーザのユーザ装置３００の出力部３９０（具体的には、ディスプレイや、スピーカなど）によって出力することができる。スポンサーまたはサーバの管理者は、このファイルをスポンサー提供情報に添付することによって、スポンサー提供情報だけでは通知できない情報をユーザに通知することができる。
【０２３４】
実施例２では、情報管理装置１００ａの構成は実施例１と同じであるが、情報管理装置１００ａの動作が実施例１と異なる。
【０２３５】
実施例３では、情報管理装置１００ａの構成は実施例１や実施例２と同じであるが、情報管理装置１００ａの動作が以下の点で実施例２と異なる。
【０２３６】
すなわち、情報管理装置１００ａ（具体的には、情報管理部１６０ａ）は、（１）Ｓ１０５の前に、ファイル添付サービスを実施するスポンサー提供情報に関連して、スポンサー提供情報に添付すべきファイルをスポンサー情報登録部１２０に予め登録している点、（２）Ｓ１３６で、スポンサー提供情報にファイルを添付すべき条件抽出者をボーナスポイント付与予定者とし、そのボーナスポイント付与予定者の情報（具体的には、当該ボーナスポイント付与予定者のユーザＮｏ）を、閲覧ユーザにボーナスポイントを付与する案件（以下、ボーナス付与案件と称する）のスポンサー情報として、スポンサー情報登録部１２０に登録する点、（３）Ｓ２２５で、ファイルを添付したスポンサー提供情報をユーザ装置３００に送信する点、および、（４）Ｓ２４１で、ファイルを閲覧したユーザをボーナスポイント付与予定者として判定する点で、実施例２の動作と異なる（図６−１と図６−２参照）。
【０２３７】
なお、これらの点以外の動作は、上述の通り、実施例２と同じである。そこで、ここでは、実施例２と異なる動作についてのみを説明し、実施例２と同じ動作については、説明を削除する。
【０２３８】
以下に、図８（Ａ）と（Ｂ）を参照し、実施例３の情報管理装置の動作を説明する。なお、図８（Ａ）と（Ｂ）は、スポンサー提供情報の一例を示す図である。図８（Ａ）は、広告の形態をしたスポンサー提供情報の一例を示しており、図８（Ｂ）は、そのスポンサー提供情報に添付されたファイルの表示例を示している。
【０２３９】
実施例３では、情報管理装置１００ａは、Ｓ１０５の前に、ファイル添付サービスを実施するスポンサー提供情報に関連して、スポンサー提供情報に添付すべきファイルをスポンサー情報登録部１２０に予め登録している（図６−１参照）。
【０２４０】
また、情報管理装置１００ａは、Ｓ１３６で、スポンサー提供情報にファイルを添付する条件抽出者をボーナスポイント付与予定者とし、そのボーナスポイント付与予定者情報をスポンサー情報登録部１２０に登録する（図６−１参照）。
【０２４１】
そして、情報管理装置１００ａは、Ｓ２２０で、要請ユーザのユーザ装置３００から要請案件のタイトル情報を受信すると、Ｓ２２５で、当該要請案件のスポンサー提供情報を要請案件のユーザのユーザ装置３００に送信する（図６−２参照）。
【０２４２】
このとき、情報管理装置１００ａは、スポンサー情報登録部１２０から、当該要請案件のスポンサー情報を読み出す。このスポンサー情報には、スポンサー提供情報にファイルを添付すべき条件抽出者の情報が含まれている。情報管理装置１００ａは、このスポンサー情報の中から、ボーナスポイント付与予定者の情報（具体的には、ボーナスポイント付与予定者のユーザＮｏ）を抽出する。情報管理装置１００ａは、ボーナスポイント付与予定者のユーザＮｏとユーザ装置３００から取得した要請案件のユーザＮｏとを比較し、ボーナスポイント付与予定者のユーザＮｏの中に、要請案件のユーザＮｏと一致するユーザＮｏが存在する場合に、要請案件のユーザをボーナスポイント付与予定者と見なす。そして、情報管理装置１００ａは、ファイルをスポンサー提供情報に添付し、スポンサー提供情報を要請案件のユーザのユーザ装置３００に送信する。
【０２４３】
要請案件のユーザのユーザ装置３００は、情報管理装置１００ａから、ファイルが添付されたスポンサー提供情報を受信すると、スポンサー提供情報を出力部３９０のディスプレイに表示する。このスポンサー提供情報の一例を、図８（Ａ）に示す。
【０２４４】
図８（Ａ）に示す例では、ユーザ装置３００は、図１３（Ａ）に示すスポンサー提供情報に、ボーナスポイントを希望する者に対して添付のファイルの閲覧を要請する文章と、「添付ファイル閲覧」キーとを付加した画面を、ディスプレイに表示している。なお、「添付ファイル閲覧」キーとは、スポンサー提供情報に添付されたファイルをディスプレイに表示するための、または、スピーカによって再生するための、キーを意味する。ユーザ装置３００は、ユーザが「添付ファイル閲覧」キーを押下すると、例えば、スポンサー提供情報に添付されたファイルを出力部３９０のディスプレイに表示する。このファイルの一例を、図８（Ｂ）に示す。
【０２４５】
図８（Ｂ）に示す例では、ユーザ装置３００は、新車の試乗会の開催をユーザに通知する文章と、試乗を希望する場合の、ボックス欄への試乗希望日時の入力をユーザに要請する文章と、試乗希望日時を入力するボックス欄と、「申込」キーと、試乗を希望しない場合の、「閲覧確認送信」キーの押下をユーザに要請する文章とを有する画面を、ディスプレイに表示している。ユーザ装置３００は、ユーザがボックス欄に試乗希望日時を入力して「申込」キーを押下すると、ユーザＮｏと試乗希望日時情報を情報管理装置１００ａに送信する。
【０２４６】
情報管理装置１００ａは、ユーザ装置３００からユーザＮｏと試乗希望日時情報とを受信すると、この試乗希望日時情報を閲覧確認情報と見なす。そして、情報管理装置１００ａは、Ｓ２４１で、ファイルを閲覧したユーザをボーナスポイント付与予定者として判定する（図６−２参照）。
【０２４７】
なお、この後の情報管理装置１００ａの動作については、好ましくは、以下のようにするとよい。
【０２４８】
すなわち、まず、情報管理装置１００ａは、ユーザ装置３００から受信したユーザＮｏと試乗希望日時情報とを、要請案件のスポンサー情報として、スポンサー情報登録部１２０に登録する。次に、情報管理装置１００ａは、ユーザＮｏと試乗希望日時情報とを、要請案件のスポンサー装置２００に送信する。スポンサー装置２００は、情報管理装置１００ａからユーザＮｏと試乗希望日時情報とを受信すると、これらを出力部２９０のディスプレイに表示する。これにより、スポンサーは、ユーザの試乗希望日時を確認することができる。この後、スポンサーは、ユーザの試乗日時を決定し、シリアルな番号を採取する。この採取された番号が、試乗会の整理番号となる。スポンサーは、スポンサー装置２００を操作して、ユーザＮｏと試乗日時と試乗会の整理番号とを情報管理装置１００ａに送信する。情報管理装置１００ａは、スポンサー装置２００からユーザＮｏと試乗日時と試乗会の整理番号とを受信すると、これらを、要請案件のスポンサー情報として、スポンサー情報登録部１２０に登録する。そして、情報管理装置１００ａは、ユーザＮｏに基づいて、ユーザ情報登録部１３０から要請案件のユーザのユーザ情報を読み出し、これによって要請案件のユーザのユーザ装置３００を特定する。そして、情報管理装置１００ａは、スポンサー装置２００から受信した試乗日時と試乗会の整理番号とを、特定した要請案件のユーザのユーザ装置３００に送信する。要請案件のユーザのユーザ装置３００は、情報管理装置１００ａから試乗日時と試乗会の整理番号とを受信すると、これらを出力部３９０のディスプレイに表示する。これにより、要請案件のユーザは、試乗日時と試乗会の整理番号とを確認することができる。
【０２４９】
以上の通り、実施例３では、情報管理装置１００ａは、ボーナスポイント付与予定者である閲覧ユーザが、スポンサー提供情報に添付されたファイルを閲覧した場合に、ボーナスポイントを閲覧ユーザに付与することができる。
【０２５０】
なお、ここでは、ファイルについて、新車の試乗を申し込むための文書情報を例にして説明したが、ファイルの形態は、これに限らず、スポンサーまたはサーバの管理者によって適宜変更または変形することができる。例えば、ファイルを、広告形式のスポンサー提供情報と同じ形態にすることもできる。この場合、上述の例では、要請案件のユーザが入力した試乗希望日時情報が閲覧確認情報として扱われているが、実施例１や実施例２で説明した広告形式のスポンサー提供情報に含まれているキーワードが閲覧確認情報として扱われることになる。
【０２５１】
[実施例４]
実施例４は、キーワードに応じて、閲覧ユーザにボーナスポイントを付与するサービス（以下、ボーナス付与サービスと称する）を実施するためのものである。実施例４では、情報管理装置１００ａは、閲覧ユーザによって送信された閲覧確認情報用のキーワードがボーナスポイントに該当するキーワードであるときに、閲覧ユーザにボーナスポイントを付与する。
【０２５２】
実施例４では、情報管理装置１００ａの構成は実施例１や実施例２と同じであるが、情報管理装置１００ａの動作が以下の点で実施例１と異なる。
【０２５３】
すなわち、情報管理装置１００ａ（具体的には、情報管理部１６０ａ）は、（１）図５−２に示すＳ２２５で、図９に示すように、閲覧確認情報用のキーワードによってボーナスポイントを付与する場合があることをユーザに通知する点、および、（２）図５−２に示すＳ２５０の動作の代わりに、図１０に示すＳ２４１〜Ｓ２４４の動作を実行する点で、実施例１の動作と異なる。
【０２５４】
なお、これらの点以外の動作は、上述の通り、実施例１と同じである。そこで、ここでは、実施例１と異なる動作についてのみを説明し、実施例１と同じ動作については、説明を削除する。
【０２５５】
以下に、図９と図１０を参照し、実施例４の情報管理装置の動作を説明する。なお、図９は、スポンサー提供情報の一例を示す図であり、図１０は、情報管理装置のさらに他の動作例を示すフローチャートである。
【０２５６】
図１０に示すように、実施例４では、情報管理装置１００ａは、Ｓ２２５で、スポンサー提供情報をユーザ装置３００に送信する。このとき、情報管理装置１００ａは、例えば図９に示す「１０人に１人、キーワードによって、通常の５倍のボーナスポイントがあたります」などのように、閲覧確認情報用のキーワードによってボーナスポイントを付与する場合があることをユーザに通知する文章を、スポンサー提供情報の中に入れて、そのスポンサー提供情報をユーザ装置３００に送信する。なお、図９に示す例では、「１０人に１人」という抽選確率や「５倍」という倍率（以下、増額値と称する）が含まれているが、これらは適宜変更することができる。また、これらを非表示にすることもできる。
【０２５７】
また、情報管理装置１００ａは、図５−２に示すＳ２５０の動作の代わりに、図１０に示すＳ２４１〜Ｓ２４４の動作を実行する。
【０２５８】
すなわち、情報管理装置１００ａは、Ｓ２４０において、閲覧ユーザがポイント付与予定者であると判定されると、Ｓ２４１で、閲覧ユーザが送信した閲覧確認情報用のキーワードに対して抽選を行う。
【０２５９】
この抽選は、以下の３通りの方法のいずれか１つで行われるのがよい。
【０２６０】
すなわち、第１の方法として、情報管理装置１００ａは、ユーザ装置３００から受信した閲覧確認情報用のキーワードに対して、同じ確率、例えば、毎回、１／１０の確率に基づいて、抽選を行う。
【０２６１】
または、第２の方法として、情報管理装置１００ａは、ユーザ装置３００から受信した閲覧確認情報用のキーワードに対して、異なる確率、例えば、回毎に、１／１０〜１／１００の中で変動する確率に基づいて、抽選を行う。
【０２６２】
または、第３の方法として、情報管理装置１００ａは、ユーザ装置３００から閲覧確認情報用のキーワードを受信する都度、キーワードの数を累積し、その累積数に基づいて、抽選を行う。なお、第３の方法は、累積数が予め定められた一定の値に達した場合に、当選とするようにしてもよい。また、第３の方法は、キーワードの数の代わりに、各キーワードにポイントを設定し、そのキーワードのポイントを用いてもよい。
【０２６３】
なお、この抽選では、抽選確率と増額値は、ユーザの優良の度合いに対応して変化するようにしてもよい。これにより、情報管理装置１００ａは、繰り返しスポンサー提供情報を閲覧して欲しい優良ユーザに対して、特に多くのボーナスポイントを付与することができる。
【０２６４】
情報管理装置１００ａは、以下のようにしてこの抽選を行う。
【０２６５】
すなわち、まず、スポンサーは、スポンサー装置２００を操作して、閲覧ユーザにボーナスポイントを付与する案件（以下、ボーナス付与案件と称する）に関する情報を、情報管理装置１００ａに送信する。このボーナス案件に関する情報は、例えば、スポンサー提供情報の送信を代行業者に委託したときの契約Ｎｏ（図１６参照）や、サービスを実施する期間（以下、サービス実施期間と称する）、閲覧ユーザに付与可能なボーナスポイントの値、特別に優遇するユーザの条件、特別に重み付けするキーワード、その他の情報を含んでいる。
【０２６６】
情報管理装置１００ａは、スポンサー装置２００からこの情報を受信すると、この情報を出力部１９０のディスプレイに表示する。これにより、代行業者であるサーバの管理者は、スポンサーからのボーナス付与案件の依頼を確認することができる。
【０２６７】
サーバの管理者は、スポンサーからのボーナス案件の依頼を確認すると、ボーナス付与案件に関する情報に基づいて、サービス実施期間や、抽選を実施する対象者の最大人数、抽選方法、抽選確率、増額値、特別に優遇するユーザの条件、特別に重み付けするキーワード、その他を決定し、これらの情報を、ボーナス付与案件のスポンサー情報として、情報管理装置１００ａに登録する。このとき、情報管理装置１００ａは、スポンサー装置２００から受信したボーナス付与案件に関する情報に含まれている契約Ｎｏに基づいて、これらの情報を、ボーナス付与案件のスポンサー情報として、スポンサー情報登録部１２０に登録する。
【０２６８】
情報管理装置１００ａは、ボーナス案件のスポンサー情報の登録が終了すると、ボーナスポイントの付与サービスを開始する。すなわち、情報管理装置１００ａは、サービス実施期間中、条件適合者である閲覧ユーザのユーザ装置３００から閲覧確認情報を受信する都度、図１０に示すＳ２０５〜Ｓ２３５の工程を繰り返し行い、当該閲覧ユーザのユーザＮｏと閲覧確認情報とを、ボーナス付与案件のスポンサー情報として、スポンサー装置２００に登録する。なお、この閲覧確認情報には、閲覧ユーザによって入力された１乃至複数のキーワードが含まれている。
【０２６９】
情報管理装置１００ａは、Ｓ２４０で、予め定められたタイミング（例えば、サービス期間が終了した時点や、抽選を実施する対象者の人数が最大人数に達した時点）で、上述の第１〜第３の方法のいずれか１つで抽選を行う。
【０２７０】
第１の方法で抽選を行う場合、情報管理装置１００ａは、スポンサー情報登録部１２０からボーナス付与案件のスポンサー情報を読み出す。そして、情報管理装置１００ａは、このスポンサー情報から、抽選方法、抽選確率、増額値、全ての閲覧ユーザのユーザＮｏとこのユーザＮｏに関連して登録された閲覧確認情報、その他を抽出する。なお、閲覧確認情報には、上述の通り、閲覧ユーザによって入力された１乃至複数のキーワードが含まれている。情報管理装置１００ａは、スポンサー情報から抽出した全てのキーワードの合計値を算出し、その全てのキーワードの合計値にスポンサー情報から抽出した抽選確率を掛け合わせることで、当選の上限値を算出する。例えば、全てのキーワードの合計値が１０，０００個で、抽選確率が１／１０である場合に、当選の上限値は、１，０００個となる。情報管理装置１００ａは、各閲覧ユーザのユーザＮｏと関連付けながらスポンサー情報から抽出した全てのキーワードに対して、同じ確率で抽選を行う。このとき、情報管理装置１００ａは、抽選によって当選したキーワードが出る都度、そのキーワードを送信したユーザＮｏの閲覧ユーザを、当選者と見なす。そして、情報管理装置１００ａは、当選者のユーザＮｏを、ボーナス付与案件のスポンサー情報として、スポンサー情報登録部１２０に登録する。情報管理装置１００ａは、登録数が当選の上限値に達するまで、この抽選と登録を行い、登録数が当選の上限値に達すると、この抽選と登録を中止する。この後、情報管理装置１００ａは、スポンサー情報登録部１２０から当選者のユーザＮｏを読み出し、読み出した当選者のユーザＮｏに基づいて、各当選者にボーナスポイントを付与する。そして、情報管理装置１００ａは、当選者のユーザＮｏに関連付けて当選者に付与したポイントを、スポンサー情報登録部１２０とユーザ情報登録部１３０に登録する。このようにして情報管理装置１００ａは、第１の方法で抽選を行う。
【０２７１】
第２の方法で抽選を行う場合、情報管理装置１００ａは、スポンサー情報登録部１２０からボーナス付与案件のスポンサー情報を読み出す。そして、情報管理装置１００ａは、このスポンサー情報から、抽選方法、抽選確率、増額値、特別に優遇するユーザの条件、特別に重み付けするキーワード、全ての閲覧ユーザのユーザＮｏとこのユーザＮｏに関連して登録された閲覧確認情報、その他を抽出する。なお、閲覧確認情報には、上述の通り、閲覧ユーザによって入力された１乃至複数のキーワードが含まれている。情報管理装置１００ａは、スポンサー情報から抽出した全てのキーワードの合計値を算出し、その全てのキーワードの合計値にスポンサー情報から抽出した抽選確率を掛け合わせることで、当選の上限値を算出する。例えば、全てのキーワードの合計値が１０，０００個で、抽選確率が１／１０である場合に、当選の上限値は、１，０００個となる。情報管理装置１００ａは、各閲覧ユーザのユーザＮｏと関連付けながらスポンサー情報から抽出した全てのキーワードに対して、異なる確率で抽選を行う。このとき、情報管理装置１００ａは、キーワード毎に、「特別に優遇するユーザの条件」や「特別に重み付けするキーワード」などの情報に基づいて、確率を変動させる。これによって、情報管理装置１００ａは、各キーワードに対して、異なる確率で抽選を行うことができる。情報管理装置１００ａは、抽選によって当選したキーワードが出る都度、そのキーワードを送信したユーザＮｏの閲覧ユーザを、当選者と見なす。そして、情報管理装置１００ａは、当選者のユーザＮｏを、ボーナス付与案件のスポンサー情報として、スポンサー情報登録部１２０に登録する。情報管理装置１００ａは、登録数が当選の上限値に達するまで、この抽選と登録を行い、登録数が当選の上限値に達すると、この抽選と登録を中止する。この後、情報管理装置１００ａは、スポンサー情報登録部１２０から当選者のユーザＮｏを読み出し、読み出した当選者のユーザＮｏに基づいて、各当選者にボーナスポイントを付与する。そして、情報管理装置１００ａは、当選者のユーザＮｏに関連付けて当選者に付与したポイントを、スポンサー情報登録部１２０とユーザ情報登録部１３０に登録する。このようにして情報管理装置１００ａは、第２の方法で抽選を行う。
【０２７２】
第３の方法で抽選を行う場合、情報管理装置１００ａは、スポンサー情報登録部１２０からボーナス付与案件のスポンサー情報を読み出す。そして、情報管理装置１００ａは、このスポンサー情報から、抽選方法、抽選確率、増額値、特別に優遇するユーザの条件、特別に重み付けするキーワード、全ての閲覧ユーザのユーザＮｏとこのユーザＮｏに関連して登録された閲覧確認情報、その他を抽出する。なお、閲覧確認情報には、上述の通り、閲覧ユーザによって入力された１乃至複数のキーワードが含まれている。情報管理装置１００ａは、「特別に優遇するユーザの条件」や「特別に重み付けするキーワード」などの情報に基づいて、各閲覧ユーザのユーザＮｏと関連付けながらスポンサー情報から抽出した全てのキーワードに対して、ポイントの重み付けを行う。この後、情報管理装置１００ａは、各閲覧ユーザが送信した全てのキーワードのポイントの合計値を算出する。情報管理装置１００ａは、全てのキーワードのポイントの合計値が予め定められた値に達する都度、そのキーワードを送信したユーザＮｏの閲覧ユーザを、当選者と見なす。そして、情報管理装置１００ａは、当選者のユーザＮｏを、ボーナス付与案件のスポンサー情報として、スポンサー情報登録部１２０に登録する。この後、情報管理装置１００ａは、スポンサー情報登録部１２０から当選者のユーザＮｏを読み出し、読み出した当選者のユーザＮｏに基づいて、各当選者にボーナスポイントを付与する。そして、情報管理装置１００ａは、当選者のユーザＮｏに関連付けて当選者に付与したポイントを、スポンサー情報登録部１２０とユーザ情報登録部１３０に登録する。このようにして情報管理装置１００ａは、第３の方法で抽選を行う。
【０２７３】
情報管理装置１００ａは、Ｓ２４２で、Ｓ２４１における抽選の結果が当たりか否かを判定する。抽選の結果が当たりであると判定されると、工程は、Ｓ２４３に進む。他方、抽選の結果が当たりでないと判定されると、工程は、Ｓ２４４に進む。
【０２７４】
抽選の結果が当たりであると判定されると、情報管理装置１００ａは、Ｓ２４３で、ボーナスポイントを含む予め定められたポイント、具体的には、通常のポイントとボーナスポイントとの合計ポイント（ただし、ボーナスポイントのみでもよい）を閲覧ユーザに付与する。この後、工程は、Ｓ２５５に進む。
【０２７５】
抽選の結果が当たりでないと判定されると、情報管理装置１００ａは、Ｓ２４４で、予め定められた通常のポイント（すなわち、一提供毎のポイント）を閲覧ユーザに付与する。この後、工程は、Ｓ２５５に進む。
【０２７６】
以上の通り、実施例４では、情報管理装置１００ａは、閲覧ユーザによって送信された閲覧確認情報用のキーワードがボーナスポイントに該当するキーワードであるときに、ボーナスポイントを当該閲覧ユーザに付与することができる。
【０２７７】
＜プログラムについて＞
この発明に係るプログラムは、コンピュータにより、上述の情報管理装置を実現するためのものである。
【０２７８】
すなわち、この発明に係るプログラムは、コンピュータを、情報の送り手となるスポンサーに関する情報を登録するスポンサー情報登録手段と、情報の受け手となるユーザに関する情報を登録するユーザ情報登録手段と、ユーザによって利用されるユーザ装置と通信網を介して通信する通信手段と、スポンサーからユーザに提供されるスポンサー提供情報の送信を管理する情報管理手段として機能させるとともに、当該コンピュータに、情報管理手段をして、ユーザ情報登録手段に登録された登録ユーザの中からスポンサーによって指定された条件に適合するユーザを条件適合者として抽出し、条件適合者をポイント付与予定者としてスポンサー提供情報に関連付けてスポンサー情報登録手段に登録する条件適合者抽出手段と、ユーザ情報登録手段に登録された個々の登録ユーザ毎にユーザ装置によって表示されるページを作成して、作成したページをユーザページとしてユーザ情報登録手段に登録し、さらに、条件適合者抽出手段によって抽出された条件適合者に送信可能なスポンサー提供情報のタイトル情報を条件適合者のユーザページに掲載するユーザページ作成手段と、ユーザページ作成手段によって条件適合者のユーザページに掲載されたスポンサー提供情報のタイトル情報に基づいて、スポンサー提供情報を閲覧した閲覧ユーザが存在する場合に、閲覧ユーザとスポンサー情報登録手段に登録されたポイント付与予定者とを比較することによって、閲覧ユーザがポイント付与予定者か否かを判定し、閲覧ユーザがポイント付与予定者であると判定されたときに、予め定められたポイントを閲覧ユーザに付与するポイント付与手段とを実現させるためのものである。
【０２７９】
なお、このプログラム発明を実施するに当たり、好ましくは、条件適合者抽出手段に、条件適合者をボーナスポイント付与予定者としてスポンサー提供情報に関連付けてスポンサー情報登録手段に登録する機能と、ポイント付与手段に、閲覧ユーザがボーナスポイント付与予定者か否かを判定する機能と、閲覧ユーザがボーナスポイント付与予定者であると判定されたときに、ボーナスポイントを含む、予め定められたポイントを閲覧ユーザに付与する機能とを実現させるためのものであってもよい。
【０２８０】
また、このプログラム発明を実施するに当たり、好ましくは、スポンサー情報登録手段に、項目毎に付与するポイントの重み付けが設定されたポイントテーブルを予め格納する機能と、ユーザページ作成手段に、条件適合者抽出手段によって抽出された条件適合者に送信可能なスポンサー提供情報のタイトル情報を条件適合者のユーザページに掲載する場合に、ユーザ情報登録手段から当該条件適合者のユーザ情報を読み出すとともに、スポンサー情報登録手段からポイントテーブルを読み出す機能と、当該条件適合者のユーザ情報の中から付与条件に一致する項目を抽出して、抽出された当該項目に応じてポイントテーブルに設定されたポイントの積算値を算出する機能と、当該ポイントの積算値をボーナスポイントとして、ユーザＮｏと対応付けて、スポンサー情報登録手段に登録する機能とを実現させるためのものであってもよい。
【０２８１】
また、このプログラム発明を実施するに当たり、好ましくは、条件適合者抽出手段に、条件適合者をボーナスポイント付与予定者としてスポンサー提供情報に関連付けてスポンサー情報登録手段に登録する機能と、スポンサー提供情報に添付して条件適合者のユーザ装置に送信するファイルを、スポンサー提供情報に関連付けて、スポンサー情報登録部に登録する機能と、ポイント付与手段に、ファイルを閲覧した閲覧ユーザが存在する場合に、当該閲覧ユーザがボーナスポイント付与予定者か否かを判定する機能と、当該閲覧ユーザがボーナスポイント付与予定者であると判定されたときに、ボーナスポイントを当該閲覧ユーザに付与する機能とを実現させるためのものであってもよい。
【０２８２】
また、このプログラム発明を実施するに当たり、好ましくは、ポイント付与手段に、閲覧ユーザのユーザ装置からスポンサー提供情報に対する閲覧確認情報用のキーワードを受信した場合に、当該キーワードがボーナスポイントに該当するキーワードか否かを判定する機能と、当該キーワードがボーナスポイントに該当するキーワードであると判定されたときに、ボーナスポイントを当該閲覧ユーザに付与する機能とを実現させるためのものであってもよい。
【０２８３】
＜変更・変形について＞
この発明は、前述の実施の形態に限定されることなく、この発明の要旨を逸脱しない範囲で種々の変更や変形を行うことができる。
【０２８４】
例えば、上述の実施の形態では、情報管理装置１００ａは、サーバやＰＣとしたが、専用の装置とすることもできる。
【図面の簡単な説明】
【０２８５】
【図１】この発明の情報管理装置の構成を示す図である。
【図２】この発明の情報管理装置の機能ブロックを示す図である。
【図３】スポンサー情報の一例を示す図である。
【図４】ユーザページの一例を示す図である。
【図５−１】情報管理装置の動作例を示すフローチャート（１）である。
【図５−２】情報管理装置の動作例を示すフローチャート（２）である。
【図６−１】情報管理装置の他の動作例を示すフローチャート（１）である。
【図６−２】情報管理装置の他の動作例を示すフローチャート（２）である。
【図７】ポイントテーブルの一例を示す図である。
【図８】スポンサー提供情報の一例を示す図である。
【図９】スポンサー提供情報の一例を示す図である。
【図１０】情報管理装置のさらに他の動作例を示すフローチャートである。
【図１１】情報管理装置の接続形態を示す図である。
【図１２】先願発明の情報管理装置の構成を示す図である。
【図１３】スポンサー提供情報の一例を示す図である。
【図１４】レポートの一例を示す図である。
【図１５】先願発明の情報管理装置の構成を示す図である。
【図１６】スポンサー情報の一例を示す図である。
【図１７】ユーザ情報の一例を示す図である。
【符号の説明】
【０２８６】
１００ａ    …情報管理装置（サーバ）
１１０    …通信部
１２０    …スポンサー情報登録部
１３０    …ユーザ情報登録部
１４０    …分配費用算出部
１５０    …支払い処理部
１６０ａ    …情報管理部
１６２    …条件適合者抽出手段
１６４    …ユーザページ作成手段
１６６    …ポイント付与手段
２００    …スポンサー装置（ＰＣ、双方向ＴＶ放送装置、ｅｔｃ．）
３００    …ユーザ装置（携帯電話、ＰＣ、双方向ＴＶ、ｅｔｃ．）
【図１】
2007026107.tif 000003
【図２】
2007026107.tif 000004
【図３】
2007026107.tif 000005
【図４】
2007026107.tif 000006
【図５−１】
2007026107.tif 000007
【図５−２】
2007026107.tif 000008
【図６−１】
2007026107.tif 000009
【図６−２】
2007026107.tif 000010
【図７】
2007026107.tif 000011
【図８】
2007026107.tif 000012
【図９】
2007026107.tif 000013
【図１０】
2007026107.tif 000014
【図１１】
2007026107.tif 000015
【図１２】
2007026107.tif 000016
【図１３】
2007026107.tif 000017
【図１４】
2007026107.tif 000018
【図１５】
2007026107.tif 000019
【図１６】
2007026107.tif 000020
【図１７】
2007026107.tif 000021
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置において、
前記ユーザ情報登録手段は、
ユーザ毎に、前記ユーザ情報の一つとして、前記ユーザが登録したユーザ情報の項目数に応じて値が定まりかつ前記スポンサー提供情報を閲覧した閲覧ユーザに付与される一提供毎の付与ポイントを登録しており、
前記情報管理手段は、
前記ユーザ情報登録手段に登録された登録ユーザの中からスポンサーによって指定された条件に適合するユーザを条件適合者として抽出し、当該条件適合者をポイント付与予定者として前記スポンサー提供情報に関連付けて前記スポンサー情報登録手段に登録する条件適合者抽出手段と、
前記ユーザ情報登録手段に登録された個々の登録ユーザ毎に前記ユーザ装置によって表示されるページを作成して、作成した当該ページをユーザページとして前記ユーザ情報登録手段に登録し、さらに、前記条件適合者抽出手段によって抽出された前記条件適合者に送信可能な前記スポンサー提供情報のタイトル情報を前記条件適合者の前記ユーザページに掲載するユーザページ作成手段と、
前記ユーザページ作成手段によって前記条件適合者の前記ユーザページに掲載された前記スポンサー提供情報のタイトル情報に基づいて、前記スポンサー提供情報を閲覧した閲覧ユーザが存在する場合に、当該閲覧ユーザと前記スポンサー情報登録手段に登録された前記ポイント付与予定者とを比較することによって、当該閲覧ユーザが前記ポイント付与予定者か否かを判定し、当該閲覧ユーザが前記ポイント付与予定者であると判定されたときに、当該閲覧ユーザのユーザ情報として前記ユーザ情報登録手段に登録されている前記一提供毎の付与ポイントを当該閲覧ユーザに付与するポイント付与手段とを有する
ことを特徴とする情報管理装置。
【請求項２】
情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置において、
前記スポンサー情報登録手段は、
前記スポンサー情報の一つとして、スポンサーが前記スポンサー提供情報をユーザに送信してもらう代価として代行業者に支払うスポンサー費用を登録しており、
前記情報管理手段は、
前記スポンサー情報登録手段に登録された前記スポンサー費用の一部を原資として、当該原資の額に応じて前記スポンサー提供情報の提供回数の予測値を算出して前記スポンサー情報登録手段に登録する機能手段と、
前記スポンサー情報登録手段に登録した提供回数の予測値以下の範囲内で前記ユーザ情報を登録した登録ユーザのユーザ装置に前記スポンサー提供情報を送信する機能手段と、
前記ユーザ情報登録手段に登録された登録ユーザの中からスポンサーによって指定された条件に適合するユーザを条件適合者として抽出し、当該条件適合者をポイント付与予定者として前記スポンサー提供情報に関連付けて前記スポンサー情報登録手段に登録する条件適合者抽出手段と、
前記ユーザ情報登録手段に登録された個々の登録ユーザ毎に前記ユーザ装置によって表示されるページを作成して、作成した当該ページをユーザページとして前記ユーザ情報登録手段に登録し、さらに、前記条件適合者抽出手段によって抽出された前記条件適合者に送信可能な前記スポンサー提供情報のタイトル情報を前記条件適合者の前記ユーザページに掲載するユーザページ作成手段と、
前記ユーザページ作成手段によって前記条件適合者の前記ユーザページに掲載された前記スポンサー提供情報のタイトル情報に基づいて、前記スポンサー提供情報を閲覧した閲覧ユーザが存在する場合に、当該閲覧ユーザと前記スポンサー情報登録手段に登録された前記ポイント付与予定者とを比較することによって、当該閲覧ユーザが前記ポイント付与予定者か否かを判定し、当該閲覧ユーザが前記ポイント付与予定者であると判定されたときに、予め定められたポイントを当該閲覧ユーザに付与するポイント付与手段とを有する
ことを特徴とする情報管理装置。
【請求項３】
請求項１または２に記載の情報管理装置において、
前記条件適合者抽出手段は、前記条件適合者をボーナスポイント付与予定者として前記スポンサー提供情報に関連付けて前記スポンサー情報登録手段に登録し、
前記ポイント付与手段は、前記閲覧ユーザが前記ボーナスポイント付与予定者か否かを判定し、当該閲覧ユーザが前記ボーナスポイント付与予定者であると判定されたときに、ボーナスポイントを含む、予め定められたポイントを当該閲覧ユーザに付与する
ことを特徴とする情報管理装置。
【請求項４】
請求項１〜３のいずれか一項に記載の情報管理装置において、
前記スポンサー情報登録手段は、項目毎に付与するポイントの重み付けが設定されたポイントテーブルを予め格納しており、
前記ユーザページ作成手段は、前記条件適合者抽出手段によって抽出された前記条件適合者に送信可能な前記スポンサー提供情報のタイトル情報を前記条件適合者の前記ユーザページに掲載する場合に、前記ユーザ情報登録手段から前記条件適合者のユーザ情報を読み出すとともに、前記スポンサー情報登録手段から前記ポイントテーブルを読み出し、前記条件適合者のユーザ情報の中から付与条件に一致する項目を抽出して、抽出された当該項目に応じて前記ポイントテーブルに設定されたポイントの積算値を算出し、当該ポイントの積算値をボーナスポイントとして、ユーザＮｏと対応付けて、前記スポンサー情報登録手段に登録する
ことを特徴とする情報管理装置。
【請求項５】
請求項３に記載の情報管理装置において、
前記条件適合者抽出手段は、前記条件適合者をボーナスポイント付与予定者として前記スポンサー提供情報に関連付けて前記スポンサー情報登録手段に登録するとともに、前記スポンサー提供情報に添付して前記条件適合者の前記ユーザ装置に送信するファイルを、前記スポンサー提供情報に関連付けて、前記スポンサー情報登録部に登録し、
前記ポイント付与手段は、前記ファイルを閲覧した閲覧ユーザが存在する場合に、当該閲覧ユーザが前記ボーナスポイント付与予定者か否かを判定し、当該閲覧ユーザが前記ボーナスポイント付与予定者であると判定されたときに、ボーナスポイントを当該閲覧ユーザに付与する
ことを特徴とする情報管理装置。
【請求項６】
請求項１または２に記載の情報管理装置において、
前記スポンサー提供情報は、閲覧確認情報用の複数のキーワードを含み、
前記ポイント付与手段は、前記閲覧ユーザのユーザ装置から前記スポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する
ことを特徴とする情報管理装置。
【請求項７】
情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置を用いて、スポンサー提供情報の送信を管理する情報管理方法において、
前記情報管理手段は、条件適合者抽出手段とユーザページ作成手段とポイント付与手段とを有しており、
前記ユーザ情報登録手段が、ユーザ毎に、前記ユーザ情報の一つとして、前記ユーザが登録したユーザ情報の項目数に応じて値が定まりかつ前記スポンサー提供情報を閲覧した閲覧ユーザに付与される一提供毎の付与ポイントを登録する工程と、
前記情報管理手段の前記条件適合者抽出手段が、前記ユーザ情報登録手段に登録された登録ユーザの中からスポンサーによって指定された条件に適合するユーザを条件適合者として抽出し、当該条件適合者をポイント付与予定者として前記スポンサー提供情報に関連付けて前記スポンサー情報登録手段に登録する条件適合者抽出工程と、
前記情報管理手段の前記ユーザページ作成手段が、前記ユーザ情報登録手段に登録された個々の登録ユーザ毎に前記ユーザ装置によって表示されるページを作成して、作成した当該ページをユーザページとして前記ユーザ情報登録手段に登録し、さらに、前記条件適合者抽出工程によって抽出された前記条件適合者に送信可能な前記スポンサー提供情報のタイトル情報を前記条件適合者の前記ユーザページに掲載するユーザページ作成工程と、
前記情報管理手段の前記ポイント付与手段が、前記ユーザページ作成工程によって前記条件適合者の前記ユーザページに掲載された前記スポンサー提供情報のタイトル情報に基づいて、前記スポンサー提供情報を閲覧した閲覧ユーザが存在する場合に、当該閲覧ユーザと前記スポンサー情報登録手段に登録された前記ポイント付与予定者とを比較することによって、当該閲覧ユーザが前記ポイント付与予定者か否かを判定し、当該閲覧ユーザが前記ポイント付与予定者であると判定されたときに、当該閲覧ユーザのユーザ情報として前記ユーザ情報登録手段に登録されている前記一提供毎の付与ポイントを当該閲覧ユーザに付与するポイント付与工程とを有する
ことを特徴とする情報管理方法。
【請求項８】
請求項７に記載の情報管理方法において、
前記条件適合者抽出工程では、前記条件適合者抽出手段は、前記条件適合者をボーナスポイント付与予定者として前記スポンサー提供情報に関連付けて前記スポンサー情報登録手段に登録し、
前記ポイント付与工程では、前記ポイント付与手段は、前記閲覧ユーザが前記ボーナスポイント付与予定者か否かを判定し、当該閲覧ユーザが前記ボーナスポイント付与予定者であると判定されたときに、ボーナスポイントを含む、予め定められたポイントを当該閲覧ユーザに付与する
ことを特徴とする情報管理方法。
【請求項９】
請求項７または８に記載の情報管理方法において、
前記スポンサー情報登録手段は、項目毎に付与するポイントの重み付けが設定されたポイントテーブルを予め格納しており、
前記ユーザページ作成工程では、前記ユーザページ作成手段は、前記条件適合者抽出手段によって抽出された前記条件適合者に送信可能な前記スポンサー提供情報のタイトル情報を前記条件適合者の前記ユーザページに掲載する場合に、前記ユーザ情報登録手段から前記条件適合者のユーザ情報を読み出すとともに、前記スポンサー情報登録手段から前記ポイントテーブルを読み出し、前記条件適合者のユーザ情報の中から付与条件に一致する項目を抽出して、抽出された当該項目に応じて前記ポイントテーブルに設定されたポイントの積算値を算出し、当該ポイントの積算値をボーナスポイントとして、ユーザＮｏと対応付けて、前記スポンサー情報登録手段に登録する
ことを特徴とする情報管理方法。
【請求項１０】
請求項８に記載の情報管理方法において、
前記条件適合者抽出工程では、前記条件適合者抽出手段は、前記条件適合者をボーナスポイント付与予定者として前記スポンサー提供情報に関連付けて前記スポンサー情報登録手段に登録するとともに、前記スポンサー提供情報に添付して前記条件適合者の前記ユーザ装置に送信するファイルを、前記スポンサー提供情報に関連付けて、前記スポンサー情報登録部に登録し、
前記ポイント付与工程では、前記ポイント付与手段は、前記ファイルを閲覧した閲覧ユーザが存在する場合に、当該閲覧ユーザが前記ボーナスポイント付与予定者か否かを判定し、当該閲覧ユーザが前記ボーナスポイント付与予定者であると判定されたときに、ボーナスポイントを当該閲覧ユーザに付与する
ことを特徴とする情報管理方法。
【請求項１１】
請求項７に記載の情報管理方法において、
前記スポンサー提供情報は、閲覧確認情報用の複数のキーワードを含み、
前記ポイント付与工程では、前記ポイント付与手段は、前記閲覧ユーザのユーザ装置から前記スポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する
ことを特徴とする情報管理方法。
【請求項１２】
コンピュータにより、請求項１〜６のいずれか一項に記載の情報管理装置を実現するためのプログラム。
【手続補正２】
【補正対象書類名】明細書
【補正対象項目名】００９３
【補正方法】変更
【補正の内容】
【００９３】
上述の課題を解決するために、請求項１に記載の情報管理装置は、情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する。
【手続補正３】
【補正対象書類名】明細書
【補正対象項目名】００９４
【補正方法】変更
【補正の内容】
【００９４】
ユーザ情報登録手段は、ユーザ毎に、ユーザ情報の一つとして、ユーザが登録したユーザ情報の項目数に応じて値が定まりかつスポンサー提供情報を閲覧した閲覧ユーザに付与される一提供毎の付与ポイントを登録している。
また、情報管理手段は、条件適合者抽出手段と、ユーザページ作成手段と、ポイント付与手段とを有する。
【手続補正４】
【補正対象書類名】明細書
【補正対象項目名】００９７
【補正方法】変更
【補正の内容】
【００９７】
上述のポイント付与手段は、ユーザページ作成手段によって条件適合者のユーザページに掲載されたスポンサー提供情報のタイトル情報に基づいて、スポンサー提供情報を閲覧した閲覧ユーザが存在する場合に、閲覧ユーザとスポンサー情報登録手段に登録されたポイント付与予定者とを比較することによって、閲覧ユーザがポイント付与予定者か否かを判定する機能と、閲覧ユーザがポイント付与予定者であると判定されたときに、当該閲覧ユーザのユーザ情報としてユーザ情報登録手段に登録されている一提供毎の付与ポイントを閲覧ユーザに付与する機能とを備える。
【手続補正５】
【補正対象書類名】明細書
【補正対象項目名】００９９
【補正方法】変更
【補正の内容】
【００９９】
この後、情報管理装置は、ユーザページに掲載されたタイトル情報に基づいて、スポンサー提供情報を閲覧した閲覧ユーザが存在する場合に、ポイント付与手段によって、閲覧ユーザがポイント付与予定者であるか否かを判定し、閲覧ユーザがポイント付与予定者であると判定されたときに、当該閲覧ユーザのユーザ情報としてユーザ情報登録手段に登録されている一提供毎の付与ポイントを閲覧ユーザに付与する。具体的には、各登録ユーザは、各自のユーザ装置を操作して、ユーザページの送信を情報管理装置に指示する。情報管理装置の情報管理手段は、この指示に応答して、ユーザページの送信を指示した登録ユーザのユーザページを、当該登録ユーザのユーザ装置に送信する。これにより、当該登録ユーザは、自身のユーザページをユーザ装置のディスプレイに表示することができる。その結果、当該登録ユーザは、ディスプレイに表示された自身のユーザページに基づいて、閲覧を希望するスポンサー提供情報の送信を情報管理装置に指示することができる。ここで、当該登録ユーザがあるスポンサー提供情報の送信を情報管理装置に指示したとする。この場合、情報管理装置の情報管理手段は、この指示に応答して、指示された案件のスポンサー提供情報を当該ユーザのユーザ装置に送信する。これにより、当該登録ユーザは、閲覧を希望するスポンサー提供情報をユーザ装置のディスプレイに表示することができる。当該登録ユーザのユーザ装置は、当該登録ユーザがディスプレイに表示されたスポンサー提供情報を閲覧した場合に、当該スポンサー提供情報を閲覧したことを示す情報（以下、閲覧確認情報と称する）を情報管理装置に送信する。情報管理装置の情報管理手段は、当該登録ユーザのユーザ装置から閲覧確認情報を受信すると、その閲覧確認情報の受信をもって、当該登録ユーザを閲覧ユーザと見なす。この後、情報管理装置のポイント付与手段は、スポンサー情報登録手段から予め登録されたポイント付与予定者の情報を読み出し、読み出したポイント付与予定者の情報に基づいて、当該閲覧ユーザがポイント付与予定者であるか否かを判定する。そして、閲覧ユーザがポイント付与予定者であると判定されたときに、情報管理装置のポイント付与手段は、当該閲覧ユーザのユーザ情報としてユーザ情報登録手段に登録されている一提供毎の付与ポイントを閲覧ユーザに付与する。
【手続補正６】
【補正対象書類名】明細書
【補正対象項目名】０１００
【補正方法】変更
【補正の内容】
【０１００】
請求項２に記載の情報管理装置によれば、スポンサー情報登録手段は、スポンサー情報の一つとして、スポンサーがスポンサー提供情報をユーザに送信してもらう代価として代行業者に支払うスポンサー費用を登録している。また、情報管理手段は、スポンサー情報登録手段に登録されたスポンサー費用の一部を原資として、当該原資の額に応じてスポンサー提供情報の提供回数の予測値を算出してスポンサー情報登録手段に登録する機能手段と、スポンサー情報登録手段に登録した提供回数の予測値以下の範囲内でユーザ情報を登録した登録ユーザのユーザ装置にスポンサー提供情報を送信する機能手段とを備えている。
請求項３に記載の情報管理装置によれば、条件適合者抽出手段は、条件適合者をボーナスポイント付与予定者としてスポンサー提供情報に関連付けてスポンサー情報登録手段に登録している。そして、ポイント付与手段は、閲覧ユーザがボーナスポイント付与予定者か否かを判定し、閲覧ユーザがボーナスポイント付与予定者であると判定されたときに、ボーナスポイントを含む、予め定められたポイントを閲覧ユーザに付与する。
【手続補正７】
【補正対象書類名】明細書
【補正対象項目名】０１０１
【補正方法】変更
【補正の内容】
【０１０１】
請求項４に記載の情報管理装置によれば、スポンサー情報登録手段は、項目毎に付与するポイントの重み付けが設定されたポイントテーブルを予め格納している。そして、ユーザページ作成手段は、条件適合者抽出手段によって抽出された条件適合者に送信可能なスポンサー提供情報のタイトル情報を条件適合者のユーザページに掲載する場合に、ユーザ情報登録手段から条件適合者のユーザ情報を読み出すとともに、スポンサー情報登録手段からポイントテーブルを読み出し、条件適合者のユーザ情報の中から付与条件に一致する項目を抽出して、抽出された当該項目に応じてポイントテーブルに設定されたポイントの積算値を算出し、当該ポイントの積算値をボーナスポイントとして、ユーザＮｏと対応付けて、スポンサー情報登録手段に登録する。
【手続補正８】
【補正対象書類名】明細書
【補正対象項目名】０１０２
【補正方法】変更
【補正の内容】
【０１０２】
請求項５に記載の情報管理装置によれば、条件適合者抽出手段は、条件適合者をボーナスポイント付与予定者としてスポンサー提供情報に関連付けてスポンサー情報登録手段に登録するとともに、スポンサー提供情報に添付して条件適合者のユーザ装置に送信するファイルを、スポンサー提供情報に関連付けて、スポンサー情報登録部に登録する。そして、ポイント付与手段は、ファイルを閲覧した閲覧ユーザが存在する場合に、当該閲覧ユーザがボーナスポイント付与予定者か否かを判定し、当該閲覧ユーザがボーナスポイント付与予定者であると判定されたときに、ボーナスポイントを当該閲覧ユーザに付与する。
【手続補正９】
【補正対象書類名】明細書
【補正対象項目名】０１０３
【補正方法】変更
【補正の内容】
【０１０３】
請求項６に記載の情報管理装置によれば、スポンサー提供情報は、中に、閲覧確認情報用の複数のキーワードを含んでいる。そして、ポイント付与手段は、閲覧ユーザのユーザ装置からスポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する。
【手続補正１０】
【補正対象書類名】明細書
【補正対象項目名】０１０４
【補正方法】変更
【補正の内容】
【０１０４】
請求項７に記載の情報管理方法は、請求項１に記載の装置発明と同様に、情報の送り手となるスポンサーに関するスポンサー情報を登録するスポンサー情報登録手段と、情報の受け手となるユーザに関するユーザ情報を登録するユーザ情報登録手段と、ユーザによって利用されるユーザ装置と通信網を介して通信する通信手段と、スポンサーからユーザに提供されるスポンサー提供情報の送信を管理する情報管理手段とを有する情報管理装置を用いて、スポンサー提供情報の送信を管理する。
【手続補正１１】
【補正対象書類名】明細書
【補正対象項目名】０１０５
【補正方法】変更
【補正の内容】
【０１０５】
ユーザ情報登録手段は、ユーザ毎に、ユーザ情報の一つとして、ユーザが登録したユーザ情報の項目数に応じて値が定まりかつスポンサー提供情報を閲覧した閲覧ユーザに付与される一提供毎の付与ポイントを登録している。
また、情報管理手段は、条件適合者抽出手段と、ユーザページ作成手段と、ポイント付与手段とを有しており、それぞれ、条件適合者抽出工程と、ユーザページ作成工程と、ポイント付与工程とを実行する。
【手続補正１２】
【補正対象書類名】明細書
【補正対象項目名】０１０８
【補正方法】変更
【補正の内容】
【０１０８】
上述のポイント付与工程では、ポイント付与手段が、ユーザページ作成工程によって条件適合者のユーザページに掲載されたスポンサー提供情報のタイトル情報に基づいて、スポンサー提供情報を閲覧した閲覧ユーザが存在する場合に、当該閲覧ユーザとスポンサー情報登録手段に登録されたポイント付与予定者とを比較することによって、当該閲覧ユーザがポイント付与予定者か否かを判定し、当該閲覧ユーザがポイント付与予定者であると判定されたときに、当該閲覧ユーザのユーザ情報としてユーザ情報登録手段に登録されている一提供毎の付与ポイントを当該閲覧ユーザに付与する。
【手続補正１３】
【補正対象書類名】明細書
【補正対象項目名】０１１０
【補正方法】変更
【補正の内容】
【０１１０】
この後、情報管理方法は、ユーザページに掲載されたタイトル情報に基づいて、スポンサー提供情報を閲覧した閲覧ユーザが存在する場合に、ポイント付与工程で、閲覧ユーザがポイント付与予定者であるか否かを判定し、閲覧ユーザがポイント付与予定者であると判定されたときに、当該閲覧ユーザのユーザ情報としてユーザ情報登録手段に登録されている一提供毎の付与ポイントを閲覧ユーザに付与する。具体的には、各登録ユーザは、各自のユーザ装置を操作して、ユーザページの送信を情報管理装置に指示する。情報管理装置の情報管理手段は、この指示に応答して、ユーザページの送信を指示した登録ユーザのユーザページを、当該登録ユーザのユーザ装置に送信する。これにより、当該登録ユーザは、自身のユーザページをユーザ装置のディスプレイに表示することができる。その結果、当該登録ユーザは、ディスプレイに表示された自身のユーザページに基づいて、閲覧を希望するスポンサー提供情報の送信を情報管理装置に指示することができる。ここで、当該登録ユーザがあるスポンサー提供情報の送信を情報管理装置に指示したとする。この場合、情報管理装置の情報管理手段は、この指示に応答して、指示された案件のスポンサー提供情報を当該ユーザのユーザ装置に送信する。これにより、当該登録ユーザは、閲覧を希望するスポンサー提供情報をユーザ装置のディスプレイに表示することができる。当該登録ユーザのユーザ装置は、当該登録ユーザがディスプレイに表示されたスポンサー提供情報を閲覧した場合に、当該スポンサー提供情報を閲覧したことを示す情報（以下、閲覧確認情報と称する）を情報管理装置に送信する。情報管理装置の情報管理手段は、当該登録ユーザのユーザ装置から閲覧確認情報を受信すると、その閲覧確認情報の受信をもって、当該登録ユーザを閲覧ユーザと見なす。この後、情報管理装置のポイント付与手段は、スポンサー情報登録手段から予め登録されたポイント付与予定者の情報を読み出し、読み出したポイント付与予定者の情報に基づいて、当該閲覧ユーザがポイント付与予定者であるか否かを判定する。そして、閲覧ユーザがポイント付与予定者であると判定されたときに、情報管理装置のポイント付与手段は、当該閲覧ユーザのユーザ情報としてユーザ情報登録手段に登録されている一提供毎の付与ポイントを閲覧ユーザに付与する。
【手続補正１４】
【補正対象書類名】明細書
【補正対象項目名】０１１１
【補正方法】変更
【補正の内容】
【０１１１】
請求項８に記載の情報管理方法によれば、請求項３に記載の装置発明と同様に、条件適合者抽出工程では、情報管理手段は、条件適合者をボーナスポイント付与予定者としてスポンサー提供情報に関連付けてスポンサー情報登録手段に登録している。そして、ポイント付与工程では、情報管理手段は、閲覧ユーザがボーナスポイント付与予定者か否かを判定し、閲覧ユーザがボーナスポイント付与予定者であると判定されたときに、ボーナスポイントを含む、予め定められたポイントを閲覧ユーザに付与する。
【手続補正１５】
【補正対象書類名】明細書
【補正対象項目名】０１１２
【補正方法】変更
【補正の内容】
【０１１２】
請求項９に記載の情報管理方法によれば、請求項４に記載の装置発明と同様に、スポンサー情報登録手段は、項目毎に付与するポイントの重み付けが設定されたポイントテーブルを予め格納している。そして、ユーザページ作成工程では、ユーザページ作成手段は、条件適合者抽出手段によって抽出された条件適合者に送信可能なスポンサー提供情報のタイトル情報を条件適合者のユーザページに掲載する場合に、ユーザ情報登録手段から条件適合者のユーザ情報を読み出すとともに、スポンサー情報登録手段からポイントテーブルを読み出し、条件適合者のユーザ情報の中から付与条件に一致する項目を抽出して、抽出された当該項目に応じてポイントテーブルに設定されたポイントの積算値を算出し、当該ポイントの積算値をボーナスポイントとして、ユーザＮｏと対応付けて、スポンサー情報登録手段に登録する。
【手続補正１６】
【補正対象書類名】明細書
【補正対象項目名】０１１３
【補正方法】変更
【補正の内容】
【０１１３】
請求項１０に記載の情報管理方法によれば、請求項５に記載の装置発明と同様に、条件適合者抽出工程では、条件適合者抽出手段は、条件適合者をボーナスポイント付与予定者としてスポンサー提供情報に関連付けてスポンサー情報登録手段に登録するとともに、スポンサー提供情報に添付して条件適合者のユーザ装置に送信するファイルを、スポンサー提供情報に関連付けて、スポンサー情報登録部に登録する。そして、ポイント付与工程では、ポイント付与手段は、ファイルを閲覧した閲覧ユーザが存在する場合に、当該閲覧ユーザがボーナスポイント付与予定者か否かを判定し、当該閲覧ユーザがボーナスポイント付与予定者であると判定されたときに、ボーナスポイントを当該閲覧ユーザに付与する。
【手続補正１７】
【補正対象書類名】明細書
【補正対象項目名】０１１４
【補正方法】変更
【補正の内容】
【０１１４】
請求項１１に記載の情報管理方法によれば、請求項６に記載の装置発明と同様に、スポンサー提供情報は、中に、閲覧確認情報用の複数のキーワードを含んでいる。そして、ポイント付与工程では、ポイント付与手段は、閲覧ユーザのユーザ装置からスポンサー提供情報に対する閲覧確認情報用のキーワードを受信した場合に、当該キーワードがボーナスポイントに該当するキーワードか否かを判定し、当該キーワードがボーナスポイントに該当するキーワードであると判定されたときに、ボーナスポイントを当該閲覧ユーザに付与する。
【手続補正１８】
【補正対象書類名】明細書
【補正対象項目名】０１１５
【補正方法】変更
【補正の内容】
【０１１５】
請求項１２に記載のプログラムは、コンピュータにより、上述の情報管理装置、すなわち、スポンサー情報登録手段とユーザ情報登録手段と通信手段と情報管理手段とを有し、その中の情報管理手段は、条件適合者抽出手段とユーザページ作成手段とポイント付与手段とを有する情報管理装置を実現する。
【手続補正１９】
【補正対象書類名】明細書
【補正対象項目名】０１１６
【補正方法】変更
【補正の内容】
【０１１６】
このプログラムは、ユーザページ作成手段によって、個々の登録ユーザ毎にユーザページを作成するとともに、条件適合者抽出手段によって、条件適合者を抽出して、条件適合者のユーザページにスポンサー提供情報のタイトル情報を掲載するように、コンピュータを駆動する。この後、プログラムは、ユーザページに掲載されたタイトル情報に基づいて、スポンサー提供情報を閲覧した閲覧ユーザが存在する場合に、ポイント付与手段によって、閲覧ユーザがポイント付与予定者であるか否かを判定し、閲覧ユーザがポイント付与予定者であると判定されたときに、当該閲覧ユーザのユーザ情報としてユーザ情報登録手段に登録されている一提供毎の付与ポイントを閲覧ユーザに付与するように、コンピュータを駆動する。
【手続補正２０】
【補正対象書類名】明細書
【補正対象項目名】０１１７
【補正方法】変更
【補正の内容】
【０１１７】
請求項１に記載の情報管理装置によれば、閲覧ユーザが予め登録されたポイント付与予定者であると判定されたときに、当該閲覧ユーザのユーザ情報としてユーザ情報登録手段に登録されている一提供毎の付与ポイントを閲覧ユーザに付与する。この一提供毎の付与ポイントは、ユーザがユーザ情報登録手段に登録したユーザ情報の項目数に応じて値が定まる。そのため、ユーザは、一提供毎の付与ポイントを自らの意思によって増減することができる。
【手続補正２１】
【補正対象書類名】明細書
【補正対象項目名】０１１８
【補正方法】変更
【補正の内容】
【０１１８】
この情報管理装置によれば、優良ユーザ（すなわち、スポンサーの商品を購入する可能性の高いユーザ）となる可能性の高い条件適合者に集中して、ポイントを付与することができる。これにより、優良ユーザは、高いポイントを得ることができ、その結果、高い分配費用を得ることができる。そのため、優良ユーザは、スポンサー提供情報の閲覧機会が増加するように、行動する。具体的には、優良ユーザは、できるだけ多くのタイトル情報が自身のユーザページに掲載されるように、また、自身の一提供毎の付与ポイントが増加するように、詳細なユーザ情報をユーザ情報登録手段に登録するようになる。また、優良ユーザは、積極的に、自身のユーザページを閲覧して、スポンサー提供情報を受信するようになる。したがって、情報管理装置は、スポンサー提供情報の閲覧機会が増加するように、優良ユーザに積極的に行動させることができる。そのため、情報管理装置は、優良ユーザに集中的にスポンサー提供情報を送信することができる。
【手続補正２２】
【補正対象書類名】明細書
【補正対象項目名】０１２０
【補正方法】変更
【補正の内容】
【０１２０】
また、請求項２に記載の情報管理装置によれば、原資の額に応じて算出される提供回数の予測値以下の範囲内でしかスポンサー提供情報をユーザ装置に送信しないので、原資を負担しないスポンサーのスポンサー提供情報の送信を規制するとともに、原資の無駄な消費を防止することができる。
また、請求項３に記載の情報管理装置によれば、閲覧ユーザが予め登録されたボーナスポイント付与予定者であると判定されたときに、ボーナスポイントを含む予め定められたポイント、具体的には、通常のポイントとボーナスポイントとの合計ポイント（ただし、ボーナスポイントのみでもよい）を閲覧ユーザに付与する。
【手続補正２３】
【補正対象書類名】明細書
【補正対象項目名】０１２１
【補正方法】変更
【補正の内容】
【０１２１】
この情報管理装置によれば、優良ユーザとなる可能性の高い条件適合者に集中して、請求項１または２に記載の情報管理装置よりも高いポイントを付与することができる。そのため、優良ユーザは、スポンサー提供情報の閲覧機会が増加するように、さらに、積極的に行動する。したがって、この情報管理装置は、スポンサー提供情報の閲覧機会が増加するように、請求項１または２に記載の情報管理装置よりも、さらに、優良ユーザに積極的に行動させることができる。
【手続補正２４】
【補正対象書類名】明細書
【補正対象項目名】０１２２
【補正方法】変更
【補正の内容】
【０１２２】
また、請求項４に記載の情報管理装置によれば、条件適合者に送信可能なスポンサー提供情報のタイトル情報を条件適合者のユーザページに掲載する場合に、ポイントテーブルに基づいて、条件適合者毎に、ボーナスポイントを算出して、そのボーナスポイントをユーザＮｏと対応付けて、スポンサー情報登録手段に登録する。
【手続補正２５】
【補正対象書類名】明細書
【補正対象項目名】０１２４
【補正方法】変更
【補正の内容】
【０１２４】
請求項５に記載の情報管理装置によれば、閲覧ユーザが添付のファイルを閲覧した場合で、かつ、閲覧ユーザが予め登録されたボーナスポイント付与予定者であると判定されたときに、ボーナスポイントを閲覧ユーザに付与する。
【手続補正２６】
【補正対象書類名】明細書
【補正対象項目名】０１２６
【補正方法】変更
【補正の内容】
【０１２６】
請求項６に記載の情報管理装置によれば、閲覧ユーザのユーザ装置から受信した閲覧確認情報用のキーワードがボーナスポイントに該当するキーワードであると判定されたときに、ボーナスポイントを当該閲覧ユーザに付与する。
【手続補正２７】
【補正対象書類名】明細書
【補正対象項目名】０１２８
【補正方法】変更
【補正の内容】
【０１２８】
請求項７に記載の情報管理方法は、請求項１に記載の情報管理装置と同様に、優良ユーザとなる可能性の高い条件適合者に集中して、ポイントを付与することができる。したがって、情報管理方法は、スポンサー提供情報の閲覧機会が増加するように、優良ユーザに積極的に行動させることができる。そのため、情報管理方法は、優良ユーザに集中的にスポンサー提供情報を送信することができる。
【手続補正２８】
【補正対象書類名】明細書
【補正対象項目名】０１３０
【補正方法】変更
【補正の内容】
【０１３０】
また、請求項８に記載の情報管理方法によれば、請求項３に記載の情報管理装置と同様に、スポンサー提供情報の閲覧機会が増加するように、請求項７に記載の情報管理方法よりも、さらに、優良ユーザに積極的に行動させることができる。
【手続補正２９】
【補正対象書類名】明細書
【補正対象項目名】０１３１
【補正方法】変更
【補正の内容】
【０１３１】
また、請求項９に記載の情報管理方法によれば、請求項４に記載の情報管理装置と同様に、個々の閲覧ユーザ毎に、異なる値のポイントを付与することができる。
【手続補正３０】
【補正対象書類名】明細書
【補正対象項目名】０１３２
【補正方法】変更
【補正の内容】
【０１３２】
請求項１０に記載の情報管理方法によれば、請求項５に記載の情報管理装置と同様に、閲覧ユーザが添付のファイルを閲覧した場合で、かつ、閲覧ユーザが予め登録されたボーナスポイント付与予定者であると判定されたときに、ボーナスポイントを閲覧ユーザに付与する。
【手続補正３１】
【補正対象書類名】明細書
【補正対象項目名】０１３４
【補正方法】変更
【補正の内容】
【０１３４】
請求項１１に記載の情報管理方法によれば、請求項６に記載の情報管理装置と同様に、閲覧ユーザのユーザ装置から受信した閲覧確認情報用のキーワードがボーナスポイントに該当するキーワードであると判定されたときに、ボーナスポイントを当該閲覧ユーザに付与する。
【手続補正３２】
【補正対象書類名】明細書
【補正対象項目名】０１３６
【補正方法】変更
【補正の内容】
【０１３６】
また、請求項１２に記載のプログラムは、請求項１〜６のいずれか一項に記載の情報管理装置と同様に、スポンサー提供情報の閲覧機会が増加するように、優良ユーザに積極的に行動させることができる。